(57)【要約】      （修正有）【課題】払拭シートの消耗量を低減化しうる液体吐出装置、及び液体吐出面払拭方法を提供する。【解決手段】液体吐出ヘッド、及び払拭シート３１０を走行させる払拭シート走行部、払拭シートを液体吐出面へ向けて押圧する払拭シート支持部材を含む払拭シート支持部、払拭シートを移動させる払拭シート位置移動部を備えた払拭部を備え、払拭シートの幅方向における払拭シートの全長は払拭シートの幅方向に平行となる方向における吐出口形成領域の全長以上、液体吐出面の全長未満であり、払拭シート位置移動部は、払拭の前の吐出動作に対応する払拭位置へ払拭シートを移動させる。【選択図】図１６
2018118467.tif 000002
【特許請求の範囲】
【請求項１】
液体を吐出させる吐出口が形成される液体吐出面を備えた液体吐出ヘッド、及び払拭シートを用いて前記液体吐出面を払拭する払拭部を備えた液体吐出装置であって、
前記払拭部は、予め決められた走行経路に沿って前記払拭シートを走行させる払拭シート走行部と、
前記走行経路に配置される払拭シート支持部材であり、前記払拭シートを前記液体吐出面に接触させる際に、前記払拭シート走行部を用いて走行させる払拭シートを支持し、且つ、前記払拭シート走行部を用いて走行させる払拭シートを前記液体吐出面へ向けて押圧する払拭シート支持部材を含む払拭シート支持部と、
前記払拭シート走行部を用いて走行させる払拭シートの走行方向と交差する払拭シートの幅方向であり、前記払拭シート支持部材を用いて支持される払拭シートの払拭面に平行となる払拭シートの幅方向について、前記払拭シートを移動させる払拭シート位置移動部と、
を備え、
前記払拭シートの幅方向における払拭シートの全長は、前記払拭シートの幅方向に平行となる方向における前記吐出口が形成される吐出口形成領域の全長以上であり、前記払拭シートの幅方向に平行となる方向における前記液体吐出面の全長未満であり、
前記払拭シート位置移動部は、前記払拭シートを用いた払拭の前の吐出動作に対応して、前記液体吐出面において液体が付着する領域を払拭する払拭位置へ、前記払拭シート支持部材を用いて支持される払拭シートを移動させる液体吐出装置。
【請求項２】
前記払拭シート支持部は、前記走行経路において前記払拭シート走行部を用いて走行させる払拭シートを案内する第一ガイド部材であり、前記払拭シートの走行方向における前記払拭シート支持部材の上流側の位置に配置され、且つ、水平面に対して斜めに傾けられて支持される第一ガイド部材を備え、
前記払拭シート位置移動部は、前記第一ガイド部材の位置を重力方向の成分を有する方向、又は重力方向に反対となる方向の成分を有する方向へ移動させて、前記払拭シート支持部材を用いて支持される払拭シートを移動させる請求項１に記載の液体吐出装置。
【請求項３】
前記払拭シート支持部は、前記走行経路において前記払拭シート走行部を用いて走行させる払拭シートを案内する第二ガイド部材であり、前記払拭シートの走行方向における前記払拭シート支持部材の下流側の位置に配置され、且つ、水平面に対して斜めに傾けられて支持される第二ガイド部材を備え、
前記払拭シート位置移動部は、前記第二ガイド部材の位置を重力方向の成分を有する方向、又は重力方向に反対となる方向の成分を有する方向へ移動させて、前記払拭シート支持部材を用いて支持される払拭シートを移動させる請求項１又は２に記載の液体吐出装置。
【請求項４】
前記払拭部は、前記液体吐出面の払拭に使用される払拭シートがロール状に巻かれた払拭シート供給ロールから払拭シートを繰り出す払拭シート繰出部と、
前記走行経路を走行させた払拭シートを巻き取る巻取部と、
を備え、
前記払拭シート位置移動部は、前記払拭シートの走行方向と交差する方向であり、重力方向に非平行となる方向について、前記払拭シート繰出部の位置、及び前記巻取部の位置の少なくともいずれか一方を移動させて、前記払拭シート支持部材を用いて支持される払拭シートを移動させる請求項１に記載の液体吐出装置。
【請求項５】
前記払拭シートの幅方向における払拭シートの位置を検出する払拭シート位置検出部を備え、
前記払拭シート位置移動部は、前記払拭シート位置検出部を用いた前記払拭シートの位置の検出結果を用いて、前記液体吐出面において液体が付着する領域を払拭する払拭位置へ、前記払拭シート支持部材を用いて支持される払拭シートを移動させる請求項１から４のいずれか一項に記載の液体吐出装置。
【請求項６】
前記液体吐出ヘッドは、水平面に対して前記液体吐出面が傾けられて配置され、
前記払拭シート支持部材は、前記液体吐出面に平行となる方向に傾けられて配置される請求項１から５のいずれか一項に記載の液体吐出装置。
【請求項７】
前記払拭シート位置移動部は、前記液体吐出ヘッドの吐出口から液体を排出させるパージ処理が実行された後に、前記液体吐出面における前記吐出口形成領域の重力方向の側の位置を含む領域の払拭位置へ前記払拭シートを移動させる請求項６に記載の液体吐出装置。
【請求項８】
前記払拭シート位置移動部は、前記液体吐出ヘッドから吐出させた液体が付与される媒体に対して、前記液体吐出ヘッドの吐出口から液体を吐出させた後に、前記液体吐出面における前記吐出口形成領域を含む領域の払拭位置へ前記払拭シートを移動させる請求項６に記載の液体吐出装置。
【請求項９】
前記払拭シート位置移動部は、定期的に、前記液体吐出面における前記吐出口形成領域の重力方向に反対となる側の位置を含む領域の払拭位置へ前記払拭シートを移動させる請求項６に記載の液体吐出装置。
【請求項１０】
前記液体吐出ヘッドから吐出させた液体を付着させる媒体と、前記液体吐出ヘッドとを相対的に移動させる媒体相対移動部を備え、
前記液体吐出ヘッドは、前記媒体相対移動部を用いた前記液体吐出ヘッドと前記媒体との相対搬送方向と直交する方向の前記媒体の全長にわたって、複数の吐出口が配置される構造を有する請求項１から９のいずれか一項に記載の液体吐出装置。
【請求項１１】
前記液体吐出ヘッドと前記払拭部とを相対的に移動させる相対移動部であり、前記液体吐出ヘッドにおける前記吐出口の配置方向に平行となる方向について、前記液体吐出ヘッドと前記払拭部とを相対的に移動させる相対移動部を備えた請求項１０に記載の液体吐出装置。
【請求項１２】
液体を吐出させる吐出口が形成される液体吐出面を備えた液体吐出ヘッドの前記液体吐出面を払拭する液体吐出面払拭方法であって、
予め決められた走行経路に沿って払拭シートを走行させ、前記走行経路において払拭シート支持部材を用いて払拭シートを支持し、且つ、前記払拭シート支持部材を用いて支持される払拭シートを前記液体吐出面へ向けて押圧し、前記払拭シートを用いて前記液体吐出面を払拭する払拭工程と、
前記走行させた払拭シートの走行方向と交差する方向であり、前記払拭シート支持部材を用いて支持される払拭シートの払拭面に平行となる払拭シートの幅方向について、前記払拭シートを移動させる払拭シート位置移動工程と、
を含み、
前記払拭工程に用いられる払拭シートは、前記払拭シートの幅方向における払拭シートの全長が、払拭シートの幅方向に平行となる方向における前記吐出口が形成される吐出口形成領域の全長以上であり、前記液体吐出面の全長未満の全長を有し、
前記払拭シート位置移動工程は、前記払拭工程の実行の前の吐出動作に対応して、前記液体吐出面において液体が付着する領域を払拭する払拭位置へ前記払拭シートを移動させる液体吐出面払拭方法。
【発明の詳細な説明】
【技術分野】
【０００１】
本発明は液体吐出装置、及び液体吐出面払拭方法に係り、特に液体吐出ヘッドの液体吐出面の払拭に関する。
【背景技術】
【０００２】
インクジェット方式の液体吐出ヘッドを備えた画像形成装置が知られている。インクジェット方式の液体吐出ヘッドは、液体吐出ヘッドの吐出性能を良好な状態に保つために、回復処理が施される。
【０００３】
液体吐出ヘッドの回復処理の一例として、液体吐出面の払拭処理が挙げられる。液体吐出面の払拭処理は、払拭シート、及びブレードなどの払拭部材を用いて液体吐出面を払拭して、インク、及び紙粉などの液体吐出面に付着した汚れを除去する処理である。
【０００４】
特許文献１は、シリアル型の液体吐出ヘッドの液体吐出面を払拭する払拭部材を備えた液体吐出装置が記載されている。特許文献１に記載の液体吐出装置は、払拭部材の払拭されない部分を減らすことを目的として、払拭部材の幅方向について液体吐出ヘッドが搭載されるキャリッジを移動させている。
【０００５】
なお、本明細書における液体吐出面は、特許文献１における吐出口形成面に対応している。本明細書における払拭シートは、特許文献１におけるシート状の払拭部材に対応している。本明細書における液体吐出装置は、特許文献１におけるインクジェット記録装置に対応している。
【０００６】
特許文献２は、シリアル型の液体吐出ヘッドの液体吐出面を払拭するワイプブレードを備えた液体吐出装置が記載されている。特許文献２に記載の液体吐出装置は、ワイプブレードの位置を移動させて、ワイプブレードの磨耗を平均化させている。
【０００７】
なお、本明細書における液体吐出ヘッドは、特許文献２におけるプリントヘッドに対応している。本明細書における液体吐出面は、特許文献２における記録媒体対向面に対応している。本明細書における液体吐出装置は、特許文献２におけるインクジェットプリンターに対応している。
【０００８】
特許文献３は、用紙の最大幅に対応したライン型の液体吐出ヘッドの液体吐出面を払拭する払拭部を備えた液体吐出装置が記載されている。特許文献３に記載の払拭部は、払拭部の位置を微調整する位置調整機構を備えている。
【０００９】
なお、本明細書における液体吐出ヘッドは、特許文献３におけるヘッドに対応している。本明細書における液体吐出面は、特許文献３におけるノズル面に対応している。本明細書における払拭部は、特許文献３におけるノズル面清掃ユニットに対応している。本明細書における液体吐出装置は、特許文献３におけるインクジェット記録装置に対応している。
【先行技術文献】
【特許文献】
【００１０】
【特許文献１】特開２０１６−１４１１３９号公報
【特許文献２】特開２０１３−２３７２５５号公報
【特許文献３】特開２０１２−１５７９８３号公報
【発明の概要】
【発明が解決しようとする課題】
【００１１】
液体吐出ヘッドの吐出性能の維持を目的として、液体吐出面の払拭処理の回数が増加した場合、払拭シートの消耗量は増加する。払拭シートの消耗量が増加した場合、払拭シートにかかるコストの増加、及び払拭シートの廃棄物の増加が懸念される。すなわち、払拭シートを用いた払拭処理には、払拭シートの消耗量の低減化という課題が存在している。
【００１２】
特許文献１に記載の発明は、払拭シートの払拭に使用されない部分を低減化させるものである。しかし、特許文献１には、払拭シートの幅方向について、払拭シートを移動させる構成は記載されていない。
【００１３】
また、特許文献１に記載の発明は、汚れが付着した領域の隣の領域を用いる場合に、付着している汚れが液体吐出面と接触して、液体吐出面への汚れの再付着が懸念される。
【００１４】
特許文献２に記載の発明は、ワイプブレードの磨耗の均一化を目的とするものである。ワイプブレードは、洗浄等の処理を行うことに起因して繰り返しの使用が可能である。また、ワイプブレードは、使用に伴う磨耗が生じるものの、払拭シートのように消費という概念が存在しない。また、特許文献２には、ワイプブレードを移動させる具体的な構成は記載されていない。
【００１５】
特許文献３に記載の発明は、払拭に関する設定を最適化することを目的とするものであり、払拭シートの消耗量に着目し、払拭シートの消耗量を低減化させることを目的とするものではない。
【００１６】
本発明はこのような事情に鑑みてなされたもので、払拭シートの消耗量を低減化しうる液体吐出装置、及び液体吐出面払拭方法を提供することを目的とする。
【課題を解決するための手段】
【００１７】
上記目的を達成するために、次の発明態様を提供する。
【００１８】
第１態様に係る液体吐出装置は、液体を吐出させる吐出口が形成される液体吐出面を備えた液体吐出ヘッド、及び払拭シートを用いて液体吐出面を払拭する払拭部を備えた液体吐出装置であって、払拭部は、予め決められた走行経路に沿って払拭シートを走行させる払拭シート走行部と、走行経路に配置される払拭シート支持部材であり、払拭シートを液体吐出面に接触させる際に、払拭シート走行部を用いて走行させる払拭シートを支持し、且つ、払拭シート走行部を用いて走行させる払拭シートを液体吐出面へ向けて押圧する払拭シート支持部材を含む払拭シート支持部と、払拭シート走行部を用いて走行させる払拭シートの走行方向と交差する払拭シートの幅方向であり、払拭シート支持部材を用いて支持される払拭シートの払拭面に平行となる払拭シートの幅方向について、払拭シートを移動させる払拭シート位置移動部と、を備え、払拭シートの幅方向における払拭シートの全長は、払拭シートの幅方向に平行となる方向における吐出口が形成される吐出口形成領域の全長以上であり、払拭シートの幅方向に平行となる方向における液体吐出面の全長未満であり、払拭シート位置移動部は、払拭シートを用いた払拭の前の吐出動作に対応して、液体吐出面において液体が付着する領域を払拭する払拭位置へ、払拭シート支持部材を用いて支持される払拭シートを移動させる液体吐出装置である。
【００１９】
第１態様によれば、払拭シートの幅方向について払拭シートを移動させて、液体が付着する領域の払拭位置へ払拭シートを移動させることが可能となる。これにより、払拭シートの幅方向について、払拭シートの幅方向に平行となる方向における吐出口形成領域の全長以上であり、液体吐出面の全長未満の全長を有する払拭シートを用いることが可能となり、払拭シートの消耗量の低減化が可能である。
【００２０】
払拭シートは、紙、及び布などの繊維を有する材料を適用可能である。払拭シートは巻き戻しをせずに、一回限りの使用とすることが可能である。
【００２１】
液体吐出面は、吐出口が形成される吐出口形成領域が含まれる。液体吐出面は、吐出口が形成されない吐出口非形成領域が含まれていてもよい。
【００２２】
第２態様は、第１態様の液体吐出装置において、払拭シート支持部は、走行経路において払拭シート走行部を用いて走行させる払拭シートを案内する第一ガイド部材であり、払拭シートの走行方向における払拭シート支持部材の上流側の位置に配置され、且つ、水平面に対して斜めに傾けられて支持される第一ガイド部材を備え、払拭シート位置移動部は、第一ガイド部材の位置を重力方向の成分を有する方向、又は重力方向に反対となる方向の成分を有する方向へ移動させて、払拭シート支持部材を用いて支持される払拭シートを移動させる構成としてもよい。
【００２３】
第２態様によれば、重力方向の成分を有する方向、又は重力方向に反対となる方向の成分を有する方向へ第一ガイド部材の位置を移動させることに起因して、払拭シートの幅方向について、払拭シート支持部材を用いて支持される払拭シートを移動させることが可能である。
【００２４】
第２態様において、払拭シート支持部は、走行経路において払拭シート走行部を用いて走行する払拭シートを案内する第二ガイド部材であり、払拭シートの走行方向における払拭シート支持部材の下流側の位置に配置される第二ガイド部材を備えてもよい。
【００２５】
第一ガイド部材は、水平面に対して斜めに傾けられて支持されてもよい。第一ガイド部材は、水平面に対して平行となる方向に支持されてもよい。第二ガイド部材も同様である。
【００２６】
第３態様は、第１態様又は第２態様の液体吐出装置において、払拭シート支持部は、走行経路において払拭シート走行部を用いて走行させる払拭シートを案内する第二ガイド部材であり、払拭シートの走行方向における払拭シート支持部材の下流側の位置に配置され、且つ、水平面に対して斜めに傾けられて支持される第二ガイド部材を備え、払拭シート位置移動部は、第二ガイド部材の位置を重力方向の成分を有する方向、又は重力方向に反対となる方向の成分を有する方向へ移動させて、払拭シート支持部材を用いて支持される払拭シートを移動させる構成としてもよい。
【００２７】
第３態様によれば、重力方向の成分を有する方向、又は重力方向に反対となる方向の成分を有する方向へ第二ガイド部材の位置を移動させることに起因して、払拭シートの幅方向について、払拭シート支持部材を用いて支持される払拭シートを移動させることが可能である。
【００２８】
第３態様において、払拭シート支持部は、走行経路において払拭シート走行部を用いて走行する払拭シートを案内する第一ガイド部材であり、払拭シートの走行方向における払拭シート支持部材の上流側の位置に配置される第一ガイド部材を備えてもよい。
【００２９】
第二ガイド部材は、水平面に対して斜めに傾けられて支持されてもよい。第二ガイド部材は、水平面に対して平行となる方向に支持されてもよい。第一ガイド部材も同様である。
【００３０】
第４態様は、第１態様の液体吐出装置において、払拭部は、液体吐出面の払拭に使用される払拭シートがロール状に巻かれた払拭シート供給ロールから払拭シートを繰り出す払拭シート繰出部と、走行経路を走行させた払拭シートを巻き取る巻取部と、を備え、払拭シート位置移動部は、払拭シートの走行方向と交差する方向であり、重力方向に非平行となる方向について、払拭シート繰出部の位置、及び巻取部の位置の少なくともいずれか一方を移動させて、払拭シート支持部材を用いて支持される払拭シートを移動させる構成としてもよい。
【００３１】
第４態様によれば、払拭シートの走行方向と交差する方向であり、重力方向に非平行となる方向について、払拭シート繰出部の位置、及び巻取部の位置の少なくともいずれか一方を移動させることに起因して、払拭シート走行部を用いて走行させる払拭シートの走行方向と交差する方向について、払拭シート支持部材を用いて支持される払拭シートを移動させることが可能である。これにより、払拭シート位置移動部の構成をより簡素化することが可能である。
【００３２】
第５態様は、第１態様から第４態様のいずれか一態様の液体吐出装置において、払拭シートの幅方向における払拭シートの位置を検出する払拭シート位置検出部を備え、払拭シート位置移動部は、払拭シート位置検出部を用いた払拭シートの位置の検出結果を用いて、液体吐出面において液体が付着する領域を払拭する払拭位置へ、払拭シート支持部材を用いて支持される払拭シートを移動させる構成としてもよい。
【００３３】
第５態様によれば、払拭シート位置検出部の検出結果を用いた払拭シートの移動のフィードバック制御に起因して、払拭位置への移動期間の短縮化が可能となる。
【００３４】
第６態様は、第１態様から第５態様のいずれか一態様の液体吐出装置において、液体吐出ヘッドは、水平面に対して液体吐出面が傾けられて配置され、払拭シート支持部材は、液体吐出面に平行となる方向に傾けられて配置される構成としてもよい。
【００３５】
第６態様によれば、水平面に対して液体吐出面が傾けられて配置された液体吐出ヘッドの液体吐出面に対して、払拭シートを平行に接触させることが可能となる。
【００３６】
第７態様は、第６態様の液体吐出装置において、払拭シート位置移動部は、液体吐出ヘッドの吐出口から液体を排出させるパージ処理が実行された後に、液体吐出面における吐出口形成領域の重力方向の側の位置を含む領域の払拭位置へ払拭シートを移動させる構成としてもよい。
【００３７】
第７態様によれば、パージ処理が実行された後における液体吐出面の液体が集中する領域の払拭位置へ、払拭シートを移動させることが可能である。
【００３８】
第８態様は、第６態様の液体吐出装置において、払拭シート位置移動部は、液体吐出ヘッドから吐出させた液体が付与される媒体に対して、液体吐出ヘッドの吐出口から液体を吐出させた後に、液体吐出面における吐出口形成領域を含む領域の払拭位置へ払拭シートを移動させる構成としてもよい。
【００３９】
第８態様によれば、液体吐出が実行された後における液体吐出面の液体が集中する領域の払拭位置へ、払拭シートを移動させることが可能である。
【００４０】
第９態様は、第６態様の液体吐出装置において、払拭シート位置移動部は、定期的に、液体吐出面における吐出口形成領域の重力方向に反対となる側の位置を含む領域の払拭位置へ払拭シートを移動させる構成としてもよい。
【００４１】
第９態様によれば、定期的に、液体が集中する領域の払拭位置へ、払拭シートを移動させることが可能である。
【００４２】
第１０態様は、第１態様から第９態様のいずれか一態様の液体吐出装置において、液体吐出ヘッドから吐出させた液体を付着させる媒体と、液体吐出ヘッドとを相対的に移動させる媒体相対移動部を備え、液体吐出ヘッドは、媒体相対移動部を用いた液体吐出ヘッドと媒体との相対搬送方向と直交する方向の媒体の全長にわたって、複数の吐出口が配置される構造を有する構成としてもよい。
【００４３】
第１０態様によれば、ライン型の液体吐出ヘッドの長手方向について、液体吐出面の払拭が可能となる。
【００４４】
ライン型の液体吐出ヘッドを備える態様では、機構の制約があり、払拭シートの位置に対してライン型の液体吐出ヘッドの位置を移動させることが困難である。払拭シート位置移動部を用いて払拭シートの位置を移動させることに起因して、ライン型の液体吐出ヘッドの液体吐出面において液体が付着している位置の払拭位置へ払拭シートを移動させることが可能である。
【００４５】
媒体相対移動部は、固定した液体吐出ヘッドに対して媒体を移動させてもよい。媒体相対移動部は、固定した媒体に対して液体吐出ヘッドを移動させてもよい。媒体相対移動部は、媒体、及び吐出ヘッドの両者を移動させてもよい。
【００４６】
吐出口がマトリクス配置される場合、吐出口の配置方向は、相対搬送方向と直交する方向について全ての吐出口を投影させた投影吐出口列における吐出口の配置方向としてもよい。
【００４７】
第１１態様は、第１０態様の液体吐出装置において、液体吐出ヘッドと払拭部とを相対的に移動させる相対移動部であり、液体吐出ヘッドにおける吐出口の配置方向に平行となる方向について、液体吐出ヘッドと払拭部とを相対的に移動させる相対移動部を備えた構成としてもよい。
【００４８】
第１１態様によれば、液体吐出ヘッドと払拭部とを相対的に移動させることに起因して、払拭部を用いた液体吐出面の払拭が可能となる。
【００４９】
また、払拭シートの巻き戻しが不要であり、払拭シートを巻き戻すための構成が不要である。
【００５０】
相対移動部は、固定した払拭部に対して液体吐出ヘッドを移動させてもよい。相対移動部は、固定した液体吐出ヘッドに対して払拭部を移動させてもよい。相対移動部は、液体吐出ヘッド、及び払拭部の両者を移動させてもよい。
【００５１】
第１２態様に係る液体吐出面払拭方法は、液体を吐出させる吐出口が形成される液体吐出面を備えた液体吐出ヘッドの液体吐出面を払拭する液体吐出面払拭方法であって、予め決められた走行経路に沿って払拭シートを走行させ、走行経路において払拭シート支持部材を用いて払拭シートを支持し、且つ、払拭シート支持部材を用いて支持される払拭シートを液体吐出面へ向けて押圧し、払拭シートを用いて液体吐出面を払拭する払拭工程と、走行させた払拭シートの走行方向と交差する方向であり、払拭シート支持部材を用いて支持される払拭シートの払拭面に平行となる払拭シートの幅方向について、払拭シートを移動させる払拭シート位置移動工程と、を含み、払拭工程に用いられる払拭シートは、払拭シートの幅方向における払拭シートの全長が、払拭シートの幅方向に平行となる方向における吐出口が形成される吐出口形成領域の全長以上であり、液体吐出面の全長未満の全長を有し、払拭シート位置移動工程は、払拭工程の実行の前の吐出動作に対応して、液体吐出面において液体が付着する領域を払拭する払拭位置へ払拭シートを移動させる液体吐出面払拭方法である。
【００５２】
第１２態様によれば、第１態様と同様の効果を得ることができる。
【００５３】
第１２態様において、第２態様から第１１態様で特定した事項と同様の事項を適宜組み合わせることができる。その場合、液体吐出装置において特定される処理や機能を担う構成要素は、これに対応する処理や機能を担う液体吐出面払拭方法の構成要素として把握することができる。
【発明の効果】
【００５４】
本発明によれば、払拭シートの幅方向について払拭シートを移動させて、液体が付着する領域の払拭位置へ払拭シートを移動させることが可能となる。これにより、払拭シートの幅方向について、払拭シートの幅方向に平行となる方向における吐出口形成領域の全長以上であり、液体吐出面の全長未満の全長を有する払拭シートを用いることが可能となり、払拭シートの消耗量の低減化が可能である。
【図面の簡単な説明】
【００５５】
【図１】図１はインクジェット記録装置の全体構成図である。
【図２】図２は制御系の概略構成を示すブロック図である。
【図３】図３は図２に示したメンテナンス制御部、及びメンテナンス部のブロック図である。
【図４】図４は液体吐出ヘッドの構造例を示す透視平面図である。
【図５】図５はヘッドモジュールの斜視図であり部分断面図を含む図である。
【図６】図６はヘッドモジュールの液体吐出面の透視平面図である。
【図７】図７はヘッドモジュールの内部構造を示す断面図である。
【図８】図８はヘッド支持部の構成例を示す描画部の側面図である。
【図９】図９は描画部の正面図である。
【図１０】図１０はヘッドクリーニングユニットの構成を示す側面図である。
【図１１】図１１はクリーナの正面図である。
【図１２】図１２は第一実施形態に係る払拭ウエブ移動部の構成例を示すクリーナの斜視図である。
【図１３】図１３は図１２に示した払拭ウエブ移動部の動作を模式的に表した払拭ウエブ移動部の動作説明図である。
【図１４】図１４は図１３に示した払拭ウエブ移動部を払拭ウエブの走行方向について見た図である。
【図１５】図１５は第一前段ガイド、及び第一後段ガイドが初期位置に位置する場合の払拭ウエブの状態を表す模式図である。
【図１６】図１６は第一前段ガイド、及び第一後段ガイドを初期位置から下方向に移動させた場合の払拭ウエブの移動方向を表す模式図である。
【図１７】図１７は第一前段ガイド、及び第一後段ガイドを初期位置から上方向に移動させた場合の払拭ウエブの移動方向を表す模式図である。
【図１８】図１８は払拭ウエブ位置センサの配置例を示すクリーナの斜視図である。
【図１９】図１９は液体吐出面払拭方法の手順を示すフローチャートである。
【図２０】図２０は第二実施形態に係る払拭ウエブ移動部の構成例を示すクリーナの側面図である。
【図２１】図２１は図２０に示した払拭ウエブ移動部の動作を模式的に表した払拭ウエブ移動部の動作説明図である。
【図２２】図２２は図２１を払拭ウエブの走行方向について見た図である。
【図２３】図２３は払拭ウエブロールが初期位置に位置する場合の払拭ウエブの状態を表す模式図である。
【図２４】図２４は払拭ウエブロールを第一移動方向について移動させた場合の払拭ウエブの移動方向を表す模式図である。
【図２５】図２５は払拭ウエブロールを第二移動方向について移動させた場合の払拭ウエブの移動方向を表す模式図である。
【図２６】図２６は第三実施形態に係る払拭ウエブ移動部の動作を表す模式図であり、パージ処理後の払拭ウエブの位置を表す模式図である。
【図２７】図２７は描画処理後の払拭ウエブの位置を表す模式図である。
【図２８】図２８は重力方向に反対となる方向に飛散したインクを定期的に払拭する際の払拭ウエブの位置を表す模式図である。
【図２９】図２９は液体吐出面におけるインクの集中箇所の一例を表す模式図である。
【発明を実施するための形態】
【００５６】
以下、添付図面に従って本発明の好ましい実施の形態について詳説する。本明細書では、同一の構成要素には同一の参照符号を付して、重複する説明を省略する。
【００５７】
［用語の説明］
本明細書における平行の用語は、交差するものの、平行と同様の作用効果を得ることが可能な実質的な平行が含まれる。
【００５８】
直交の用語は、９０度未満の角度、又は９０度を超える角度で交差するものの、直交と同様の作用効果を得ることが可能な実質的な直交が含まれる。
【００５９】
上の用語は、重力方向に反対となる方向を表す。下の用語は、重力方向を表す。
【００６０】
同一の用語は、相違点が存在するものの、同様の作用効果を得ることが可能な実質的な同一が含まれる。
【００６１】
［インクジェット記録装置の説明］
＜全体構成＞
図１はインクジェット記録装置の全体構成図である。インクジェット記録装置は液体吐出装置の一態様である。インクは、液体の一態様である。本明細書では、インクの用語と液体の用語とは、相互に読み替えることが可能である。また、吐出の用語は、打滴、画像形成、又は画像記録の用語と同義である。
【００６２】
図１に示したインクジェット記録装置１０は、枚葉の用紙Ｓにインクを用いてインクジェット方式で画像を描画するインクジェット記録装置である。用紙Ｓは、紙、樹脂、又は金属などのシート状の部材が挙げられる。樹脂、又は金属などのシート状の部材には、基材、又は基板と呼ばれるものが含まれていてもよい。用紙Ｓは、媒体の一態様である。
【００６３】
インクジェット記録装置１０は、主として、給紙部１２、処理液付与部１４、処理液乾燥処理部１６、描画部１８、インク乾燥処理部２０、及び排紙部２４を備えている。以下、各部を詳細に説明する。
【００６４】
＜給紙部＞
給紙部１２は、給紙台３０、サッカー装置３２、給紙ローラ対３４、フィーダボード３６、前当て３８、及び給紙ドラム４０を備えている。フィーダボード３６はリテーナ３６Ａ、及びガイドローラ３６Ｂを備えている。
【００６５】
リテーナ３６Ａ、及びガイドローラ３６Ｂは、フィーダボード３６の用紙Ｓが搬送される搬送面に配置される。前当て３８はフィーダボード３６と給紙ドラム４０との間に配置される。
【００６６】
給紙ドラム４０は、回転軸４０Ｂに平行となる方向を長手方向とする円筒形状を有している。給紙ドラム４０は長手方向について、用紙Ｓの全長を超える長さを有している。給紙ドラム４０の回転軸４０Ｂの方向は図１の紙面を貫く方向である。
【００６７】
ドラムとは円筒形状を有し、媒体の少なくとも一部を保持して円筒形状の中心軸について回転させることに起因して、媒体を円筒形状の外周面に沿って搬送させる搬送部材である。
【００６８】
給紙ドラム４０はグリッパー４０Ａを備えている。グリッパー４０Ａは、複数の爪、爪台、及びグリッパー軸を備えている。なお、複数の爪、爪台、及びグリッパー軸を図示は省略する。
【００６９】
グリッパー４０Ａの複数の爪は、給紙ドラム４０の回転軸４０Ｂに平行となる方向に沿って配置される。複数の爪の基端部はグリッパー軸に揺動可能に支持される。複数の爪の配置間隔、及び複数の爪が配置される領域の長さは、用紙Ｓのサイズに応じて決められている。
【００７０】
爪台は給紙ドラム４０の回転軸４０Ｂに平行となる方向を長手方向とする部材である。給紙ドラム４０の長手方向について、爪台の長さは複数の爪が配置される領域の長さ以上とされる。爪台は複数の爪の先端部と対向する位置に配置される。
【００７１】
給紙部１２は、給紙台３０に積載された用紙Ｓを一枚ずつ処理液付与部１４へ給紙する。給紙台３０の上に積載された用紙Ｓは、サッカー装置３２を用いて上から順に一枚ずつ引き上げられて、給紙ローラ対３４に給紙される。
【００７２】
給紙ローラ対３４に給紙される用紙Ｓは、フィーダボード３６に載置され、フィーダボード３６を用いて搬送される。フィーダボード３６を用いて搬送される用紙Ｓは、リテーナ３６Ａ、及びガイドローラ３６Ｂを用いてフィーダボード３６の搬送面に押し付けられ、凹凸が矯正される。
【００７３】
フィーダボード３６を用いて搬送される用紙Ｓは、先端を前当て３８に当接することに起因して傾きが矯正される。フィーダボード３６を用いて搬送される用紙Ｓは、給紙ドラム４０に受け渡される。
【００７４】
給紙ドラム４０に受け渡された用紙Ｓは、給紙ドラム４０のグリッパー４０Ａを用いて先端部が把持される。給紙ドラム４０を回転させることに起因して、用紙Ｓは給紙ドラム４０の外周面に沿って搬送される。給紙ドラム４０を用いて搬送される用紙Ｓは処理液付与部１４へ受け渡される。
【００７５】
＜処理液付与部＞
処理液付与部１４は、処理液ドラム４２、及び処理液付与装置４４を備えている。処理液ドラム４２はグリッパー４２Ａを備えている。グリッパー４２Ａには給紙ドラム４０のグリッパー４０Ａと同様の構成を適用することができる。
【００７６】
図１に示した処理液ドラム４２は、給紙ドラム４０の直径の二倍の直径を有している。処理液ドラム４２はグリッパー４２Ａが二か所に配置されている。二か所のグリッパー４２Ａの配置位置は、処理液ドラム４２の外周面４２Ｃにおいて半周分ずらされた位置である。
【００７７】
処理液ドラム４２は用紙Ｓを支持する外周面４２Ｃに、用紙Ｓを固定させる構成を有している。処理液ドラム４２の外周面４２Ｃに用紙Ｓを固定する構成の例として、処理液ドラム４２の外周面４２Ｃに複数の吸着穴を備え、複数の吸着穴に負圧を作用させる構成が挙げられる。
【００７８】
処理液ドラム４２には、上記以外は給紙ドラム４０と同様の構成を適用することができる。符号４２Ｂは処理液ドラム４２の回転軸である。
【００７９】
処理液付与装置４４にはローラ塗布方式を適用することができる。ローラ塗布方式の処理液付与装置４４として、処理液槽、計量ローラ、及び塗布ローラが備えられる構成を採用しうる。
【００８０】
処理液槽は処理液供給流路を介して処理液タンクから供給された処理液が貯留される。計量ローラは処理液槽に貯留された処理液を計量する。計量ローラは計量された処理液を塗布ローラへ転写する。塗布ローラは用紙Ｓへ処理液を塗布する。
【００８１】
なお、ここで説明された処理液付与装置４４の構成はあくまでも一例であり、処理液付与装置４４には他の方式が適用されてもよい。また、処理液付与装置４４には他の構成が適用されてもよい。
【００８２】
処理液付与装置４４の他の方式の例として、ブレードを用いた塗布、インクジェット方式が用いられる吐出、又はスプレー方式が用いられる噴霧などが挙げられる。
【００８３】
グリッパー４２Ａを用いて用紙Ｓの先端を把持した状態において処理液ドラム４２を回転させることに起因して、用紙Ｓは処理液ドラム４２の外周面４２Ｃに沿って搬送される。処理液ドラム４２の外周面４２Ｃに沿って搬送される用紙Ｓは、処理液付与装置４４を用いて処理液が付与される。処理液が付与された用紙Ｓは処理液乾燥処理部１６へ送られる。
【００８４】
用紙Ｓに付与される処理液は、後段の描画部１８で用紙Ｓに吐出させるインク中の色材を凝集させる機能、又はインクの色材を不溶化させる機能を有している。用紙Ｓに処理液を付与してインクを吐出させることに起因して、汎用の用紙を用いても着弾干渉等を起こすことなく、高品位な画像形成を行うことができる。
【００８５】
処理液付与部１４を用いて処理液が付与された用紙Ｓは、処理液乾燥処理部１６へ受け渡される。
【００８６】
＜処理液乾燥処理部＞
処理液乾燥処理部１６は、処理液乾燥処理ドラム４６、用紙搬送ガイド４８、及び処理液乾燥処理ユニット５０を備えている。処理液乾燥処理ドラム４６はグリッパー４６Ａを備えている。グリッパー４６Ａには給紙ドラム４０のグリッパー４０Ａと同様の構成を適用することができる。
【００８７】
図１に示した処理液乾燥処理ドラム４６は給紙ドラム４０の直径の二倍の直径を有している。処理液乾燥処理ドラム４６はグリッパー４６Ａが二か所に配置されている。二か所のグリッパー４６Ａの配置位置は、処理液乾燥処理ドラム４６の外周面４６Ｃにおいて半周分ずらされた位置である。
【００８８】
処理液乾燥処理ドラム４６の上記以外の構成には、給紙ドラム４０と同様の構成を適用することができる。符号４６Ｂは処理液乾燥処理ドラム４６の回転軸である。
【００８９】
用紙搬送ガイド４８は処理液乾燥処理ドラム４６の外周面４６Ｃと対向する位置に配置される。用紙搬送ガイド４８は処理液乾燥処理ドラム４６の下側に配置される。
【００９０】
処理液乾燥処理ユニット５０は処理液乾燥処理ドラム４６の内部に配置される。処理液乾燥処理ユニット５０は処理液乾燥処理ドラム４６の外部に向けて風を送風する送風部、及び風を加熱する加熱部を備えている。図示の都合上、送風部、及び加熱部の符号を省略する。
【００９１】
処理液付与部１４から処理液乾燥処理部１６へ受け渡された用紙Ｓは、処理液乾燥処理ドラム４６のグリッパー４６Ａを用いて先端を把持される。
【００９２】
用紙Ｓは、用紙搬送ガイド４８を用いて、処理液が塗布された面の反対側の面が支持される。用紙搬送ガイド４８を用いて支持される際に、用紙Ｓは、処理液が塗布された面が処理液乾燥処理ドラム４６の外周面４６Ｃに向けた状態とされる。
【００９３】
用紙Ｓは、処理液乾燥処理ドラム４６を回転させることに起因して、処理液乾燥処理ドラム４６の外周面４６Ｃに沿って搬送される。
【００９４】
処理液乾燥処理ドラム４６を用いて搬送される用紙Ｓであり、用紙搬送ガイド４８を用いて支持される用紙Ｓは、処理液乾燥処理ユニット５０から加熱された風が吹き当てられて乾燥処理が施される。
【００９５】
用紙Ｓに乾燥処理が施されることに起因して、用紙Ｓに付与された処理液中の溶媒成分が除去され、用紙Ｓの処理液が付与された面に処理液層が形成される。処理液乾燥処理部１６を用いて乾燥処理が施された用紙Ｓは描画部１８へ受け渡される。
【００９６】
＜描画部＞
描画部１８は、描画ドラム５２、用紙押さえローラ５４、液体吐出ヘッド５６Ｃ、液体吐出ヘッド５６Ｍ、液体吐出ヘッド５６Ｙ、液体吐出ヘッド５６Ｋ、及びインラインセンサ５８を備えている。描画ドラム５２はグリッパー５２Ａを備えている。
【００９７】
グリッパー５２Ａは描画ドラム５２の外周面５２Ｃに設けられた凹部の内部に配置される。グリッパー５２Ａの配置以外の構成には給紙ドラム４０のグリッパー４０Ａと同様の構成を適用することができる。
【００９８】
描画ドラム５２は処理液乾燥処理ドラム４６と同様にグリッパー５２Ａが二か所に配置されている。二か所のグリッパー５２Ａの配置には処理液乾燥処理ドラム４６と同様の配置を適用することができる。
【００９９】
描画ドラム５２は、用紙Ｓを支持する外周面５２Ｃに吸着穴を備えている。吸着穴は用紙Ｓを吸着支持する媒体支持領域に配置される。なお、吸着穴、及び媒体支持領域の図示を省略する。
【０１００】
描画ドラム５２の上記以外の構成には、給紙ドラム４０と同様の構成を適用することができる。符号５２Ｂは描画ドラム５２の回転軸である。描画ドラム５２は、媒体と液体吐出ヘッドとを相対的に移動させる媒体相対移動部の一態様である。
【０１０１】
用紙押さえローラ５４は円筒形状を有している。用紙押さえローラ５４の長手方向は描画ドラム５２の回転軸５２Ｂに平行となる方向である。用紙押さえローラ５４は長手方向について用紙Ｓの全長を超える長さを有している。
【０１０２】
用紙押さえローラ５４は、描画ドラム５２における用紙Ｓの搬送方向について、用紙Ｓの受け渡し位置の下流側であり、液体吐出ヘッド５６Ｃの上流側に配置される。以下の説明において、用紙Ｓの搬送方向は、用紙搬送方向、又は媒体搬送方向と記載することがある。
【０１０３】
用紙Ｓの搬送方向、用紙搬送方向、又は媒体搬送方向は、液体吐出ヘッドと媒体との相対移動方向の一態様である。相対移動方向の他の態様として、固定した媒体に対して液体吐出ヘッドを移動させる場合の液体吐出ヘッドの移動方向が挙げられる。
【０１０４】
液体吐出ヘッド５６Ｃ、液体吐出ヘッド５６Ｍ、液体吐出ヘッド５６Ｙ、及び液体吐出ヘッド５６Ｋは、インクジェット方式を用いてインクを吐出させるノズル部を備えている。図１では、ノズル部の図示を省略する。ノズル部は図７に符号２８１を付して図示する。
【０１０５】
ここで、液体吐出ヘッドの符号に付されたアルファベットは、インクの色を表している。Ｃはシアンを表している。Ｍはマゼンタを表している。Ｙはイエローを表している。Ｋはブラックを表している。
【０１０６】
液体吐出ヘッド５６Ｃ、液体吐出ヘッド５６Ｍ、液体吐出ヘッド５６Ｙ、及び液体吐出ヘッド５６Ｋは、描画ドラム５２の上側に配置される。液体吐出ヘッド５６Ｃ、液体吐出ヘッド５６Ｍ、液体吐出ヘッド５６Ｙ、及び液体吐出ヘッド５６Ｋは、用紙搬送方向に沿って、用紙搬送方向の上流側から、液体吐出ヘッド５６Ｃ、液体吐出ヘッド５６Ｍ、液体吐出ヘッド５６Ｙ、及び液体吐出ヘッド５６Ｋの順に配置される。
【０１０７】
インラインセンサ５８は用紙搬送方向について液体吐出ヘッド５６Ｋの下流側の位置に配置される。インラインセンサ５８は撮像素子、撮像素子の周辺回路、及び光源を備えている。
【０１０８】
撮像素子はＣＣＤイメージセンサやＣＭＯＳイメージセンサなどの固体撮像素子を適用することが可能である。なお、撮像素子、撮像素子の周辺回路、及び光源の図示を省略する。ＣＣＤはCharge Coupled Deviceの省略語である。ＣＭＯＳはComplementary Metal-Oxide Semiconductorの省略語である。
【０１０９】
撮像素子の周辺回路は、撮像素子の出力信号の処理回路を備えている。処理回路として、撮像素子の出力信号からノイズ成分を除去するフィルタ回路、増幅回路、又は波形整形回路などが挙げられる。なお、フィルタ回路、増幅回路、又は波形整形回路の図示を省略する。
【０１１０】
光源はインラインセンサの読取対象物に照明光を照射可能な位置に配置される。光源にはＬＥＤやランプなどを適用することができる。ＬＥＤはlight emitting diodeの省略語である。
【０１１１】
処理液乾燥処理部１６から描画部１８へ受け渡された用紙Ｓは、描画ドラム５２のグリッパー５２Ａを用いて先端が把持される。描画ドラム５２のグリッパー５２Ａを用いて先端が把持された用紙Ｓは描画ドラム５２の回転に起因して、描画ドラム５２の外周面５２Ｃに沿って搬送される。
【０１１２】
用紙Ｓは用紙押さえローラ５４の下を通過する際に、描画ドラム５２の外周面５２Ｃに押し当てられる。用紙押さえローラ５４の下を通過した用紙Ｓは、液体吐出ヘッド５６Ｃ、液体吐出ヘッド５６Ｍ、液体吐出ヘッド５６Ｙ、及び液体吐出ヘッド５６Ｋの直下において、液体吐出ヘッド５６Ｃ、液体吐出ヘッド５６Ｍ、液体吐出ヘッド５６Ｙ、及び液体吐出ヘッド５６Ｋのそれぞれから吐出させたカラーインクを用いて画像が形成される。
【０１１３】
液体吐出ヘッド５６Ｃ、液体吐出ヘッド５６Ｍ、液体吐出ヘッド５６Ｙ、及び液体吐出ヘッド５６Ｋを用いて画像が形成された用紙Ｓは、インラインセンサ５８の読取領域において、インラインセンサ５８を用いて画像が読み取られる。
【０１１４】
インラインセンサ５８を用いて画像が読み取られた用紙Ｓは描画部１８からインク乾燥処理部２０へ受け渡される。インラインセンサ５８を用いた画像読取の結果から、吐出異常の有無の判断が可能である。
【０１１５】
＜インク乾燥処理部＞
インク乾燥処理部２０は、チェーングリッパー６４、インク乾燥処理ユニット６８、ガイドプレート７２を備えている。チェーングリッパー６４は第一スプロケット６４Ａ、第二スプロケット６４Ｂ、チェーン６４Ｃ、及び複数のグリッパー６４Ｄを備えている。
【０１１６】
チェーングリッパー６４は、一対の第一スプロケット６４Ａ、及び第二スプロケット６４Ｂに、一対の無端状のチェーン６４Ｃが巻き掛けられた構造を有している。図１には、一対の第一スプロケット６４Ａ、及び第二スプロケット６４Ｂ、並びに一対のチェーン６４Ｃのうち、一方のみが図示されている。
【０１１７】
チェーングリッパー６４は、一対のチェーン６４Ｃの間に複数のグリッパー６４Ｄが配置される構造を有している。また、チェーングリッパー６４は用紙搬送方向における複数の位置に複数のグリッパー６４Ｄが配置される構造を有している。図１には、一対のチェーン６４Ｃの間に配置される複数のグリッパー６４Ｄのうち、一つのグリッパー６４Ｄのみが図示されている。
【０１１８】
図１に示したチェーングリッパー６４は、用紙Ｓを水平方向に沿って搬送する水平搬送領域、及び用紙Ｓを斜め上方向に搬送する傾斜搬送領域が含まれる。
【０１１９】
インク乾燥処理ユニット６８はチェーングリッパー６４における用紙Ｓの搬送経路の上側の位置に配置される。インク乾燥処理ユニット６８の構成例として、ハロゲンヒータ、赤外線ヒータ等の熱源を含む構成が挙げられる。インク乾燥処理ユニット６８の他の構成例として、熱源を用いて熱せられた空気を用紙Ｓへ吹き付けるファンを含む構成が挙げられる。インク乾燥処理ユニット６８は熱源、及びファンを含む構成とされてもよい。
【０１２０】
ガイドプレート７２の詳細な図示を省略するが、ガイドプレート７２は板状の部材が適用される。ガイドプレート７２は用紙搬送方向と直交する方向について、用紙Ｓの全長を超える長さを有している。
【０１２１】
ガイドプレート７２は、チェーングリッパー６４を用いた用紙Ｓの水平搬送領域における搬送経路に沿って配置される。ガイドプレート７２は、チェーングリッパー６４を用いる用紙Ｓの搬送経路の下側の位置に配置される。ガイドプレート７２は用紙搬送方向について、インク乾燥処理ユニット６８の処理領域の長さに対応する長さを有している。
【０１２２】
インク乾燥処理ユニット６８の処理領域の長さに対応する長さとは、インク乾燥処理ユニット６８の処理の際に、ガイドプレート７２が用いられる用紙Ｓの支持が可能なガイドプレート７２の長さである。
【０１２３】
例えば、用紙搬送方向について、インク乾燥処理ユニット６８の処理領域の長さとガイドプレート７２の長さを同一にする態様が挙げられる。ガイドプレート７２は、用紙Ｓを吸着支持する機能を備えてもよい。
【０１２４】
描画部１８からインク乾燥処理部２０に受け渡された用紙Ｓは、グリッパー６４Ｄを用いて先端が把持される。第一スプロケット６４Ａ、及び第二スプロケット６４Ｂの少なくともいずれか一方を、図１における時計回りに回転させてチェーン６４Ｃを走行させることに起因して、用紙Ｓはチェーン６４Ｃの走行経路に沿って搬送される。
【０１２５】
用紙Ｓがインク乾燥処理ユニット６８の処理領域を通過する際に、用紙Ｓに対してインク乾燥処理ユニット６８を用いてインク乾燥処理が施される。
【０１２６】
インク乾燥処理ユニット６８を用いてインク乾燥処理が施された用紙Ｓは、チェーングリッパー６４を用いて搬送され、排紙部２４へ送られる。
【０１２７】
図１に示したチェーングリッパー６４は、用紙搬送方向におけるインク乾燥処理ユニット６８の下流側の位置において、用紙Ｓを図１における左斜め上方向へ搬送させる。用紙Ｓを図１における左斜め上方向へ搬送させる傾斜搬送領域の搬送経路には、ガイドプレート７３が配置される。
【０１２８】
ガイドプレート７３は、ガイドプレート７２と同様の部材を適用することができる。ここでは、ガイドプレート７３の構造、及び機能の説明を省略する。
【０１２９】
＜排紙部＞
排紙部２４は、排紙台７６を備えている。排紙部２４における用紙Ｓの搬送にはチェーングリッパー６４が適用される。
【０１３０】
排紙台７６はチェーングリッパー６４を用いる用紙Ｓの搬送経路の下側の位置に配置される。排紙台７６は図示しない昇降機構を含む構成が可能である。排紙台７６は、積載される用紙Ｓの増減に応じて昇降させて、最上位に位置する用紙Ｓの高さを一定に保つことができる。
【０１３１】
排紙部２４は画像形成の一連の処理がされた用紙Ｓを回収する。用紙Ｓが排紙台７６の位置に到達すると、グリッパー６４Ｄは用紙Ｓの把持を開放する。用紙Ｓは排紙台７６に積載される。
【０１３２】
図１では、処理液付与部１４、及び処理液乾燥処理部１６を備えたインクジェット記録装置１０を示したが、処理液付与部１４、及び処理液乾燥処理部１６が省略される態様も可能である。
【０１３３】
また、図１では、描画後の用紙Ｓを搬送する構成としてチェーングリッパー６４を例示したが、描画後の用紙Ｓを搬送する構成には、ベルト搬送、又は搬送ドラム搬送など他の搬送形態が適用されてもよい。
【０１３４】
図１には、図示を省略するが、インクジェット記録装置１０は、液体吐出ヘッド５６Ｃ、液体吐出ヘッド５６Ｍ、液体吐出ヘッド５６Ｙ、及び液体吐出ヘッド５６Ｋに対してメンテナンス処理を施すメンテナンス部を備えている。メンテナンス部の詳細は後述する。
【０１３５】
＜制御系の説明＞
図２は制御系の概略構成を示すブロック図である。図２に示されるように、インクジェット記録装置１０は、システムコントローラ１００を備えている。システムコントローラ１００は、ＣＰＵ１００Ａ、ＲＯＭ１００Ｂ、及びＲＡＭ１００Ｃを備えている。
【０１３６】
図２に示したＲＯＭ１００Ｂ、及びＲＡＭ１００Ｃは、ＣＰＵの外部に配置されてもよい。ＣＰＵはCentral Processing Unitの省略語である。ＲＯＭはRead Only Memoryの省略語である。ＲＡＭはRandom Access Memoryの省略語である。
【０１３７】
システムコントローラ１００は、インクジェット記録装置１０の各部を統括的に制御する全体制御部として機能する。また、システムコントローラ１００は、各種演算処理を行う演算部として機能する。システムコントローラ１００は、プログラムを実行して、インクジェット記録装置１０の各部を制御してもよい。
【０１３８】
更に、システムコントローラ１００は、ＲＯＭ１００Ｂ、及びＲＡＭ１００Ｃなどのメモリにおけるデータの読み出し、及びデータの書き込みを制御するメモリーコントローラとして機能する。
【０１３９】
インクジェット記録装置１０は、通信部１０２、画像メモリ１０４、搬送制御部１１０、給紙制御部１１２、処理液付与制御部１１４、処理液乾燥制御部１１６、描画制御部１１８、インク乾燥制御部１２０、排紙制御部１２４、及びメンテナンス制御部１２６を備えている。
【０１４０】
通信部１０２は、図示しない通信インターフェースを備えている。通信部１０２は通信インターフェースと接続されたホストコンピュータ１０３との間でデータの送受信を行うことができる。
【０１４１】
画像メモリ１０４は、画像データを含む各種データの一時記憶部として機能する。画像メモリ１０４は、システムコントローラ１００を通じてデータの読み書きが行われる。通信部１０２を介してホストコンピュータ１０３から取り込まれた画像データは、一旦画像メモリ１０４に格納される。
【０１４２】
搬送制御部１１０は、インクジェット記録装置１０における用紙Ｓの搬送部１１の動作を制御する。図２に示した搬送部１１には、図１に示した処理液ドラム４２、処理液乾燥処理ドラム４６、描画ドラム５２、及びチェーングリッパー６４が含まれる。搬送部１１は、媒体相対移動部の一態様である。
【０１４３】
図２に示した給紙制御部１１２は、システムコントローラ１００からの指令に応じて給紙部１２の動作を制御する。給紙制御部１１２は、用紙Ｓの供給開始動作、及び用紙Ｓの供給停止動作などを制御する。
【０１４４】
処理液付与制御部１１４は、システムコントローラ１００からの指令に応じて処理液付与部１４の動作を制御する。処理液付与制御部１１４は、処理液の付与量、及び付与タイミングなどを制御する。
【０１４５】
処理液乾燥制御部１１６は、システムコントローラ１００からの指令に応じて処理液乾燥処理部１６を動作させる。処理液乾燥制御部１１６は、乾燥温度、乾燥気体の流量、及び乾燥気体の噴射タイミングなどを制御する。
【０１４６】
描画制御部１１８は、システムコントローラ１００からの指令に応じて、描画部１８の動作を制御する。描画制御部１１８は、図１に示した液体吐出ヘッド５６Ｃ、液体吐出ヘッド５６Ｍ、液体吐出ヘッド５６Ｙ、及び液体吐出ヘッド５６Ｋのインク吐出を制御する。
【０１４７】
図２に示した描画制御部１１８は、図示しない画像処理部を備えている。画像処理部は入力画像データからドットデータを形成する。画像処理部は、図示しない色分解処理部、色変換処理部、補正処理部、及びハーフトーン処理部を備えている。
【０１４８】
色分解処理部は、入力画像データに対して色分解処理を施す。例えば、入力画像データがＲＧＢで表されている場合、入力画像データがＲ、Ｇ、及びＢの色ごとのデータに分解される。ここで、Ｒは赤を表す。Ｇは緑を表す。Ｂは青を表す。
【０１４９】
色変換処理部は、Ｒ、Ｇ、及びＢに分解された色ごとの画像データを、インク色に対応するＣ、Ｍ、Ｙ、Ｋに変換する。ここで、Ｃはシアンを表す。Ｍはマゼンタを表す。Ｙはイエローを表す。Ｋはブラックを表す。
【０１５０】
補正処理部では、Ｃ、Ｍ、Ｙ、及びＫに変換された色ごとの画像データに対して補正処理を施す。補正処理の例として、ガンマ補正処理、濃度むら補正処理、又は異常記録素子補正処理などが挙げられる。
【０１５１】
ハーフトーン処理部は、例えば、０から２５５といった多階調数で表された画像データを、二値、又は入力画像データの階調数未満の三値以上の多値で表されるドットデータに変換する。
【０１５２】
ハーフトーン処理部を用いたハーフトーン処理は、予め決められたハーフトーン処理規則が適用される。ハーフトーン処理規則の例として、ディザ法、又は誤差拡散法などが挙げられる。ハーフトーン処理規則は、画像記録条件、又は画像データの内容等に応じて変更されてもよい。
【０１５３】
描画制御部１１８は、図示しない波形生成部、波形記憶部、及び駆動回路を備えている。波形生成部は駆動電圧の波形を生成する。波形記憶部は駆動電圧の波形を記憶する。駆動回路はドットデータに応じた駆動波形を有する駆動電圧を生成する。駆動回路は駆動電圧を、図１に示した液体吐出ヘッド５６Ｃ、液体吐出ヘッド５６Ｍ、液体吐出ヘッド５６Ｙ、及び液体吐出ヘッド５６Ｋへ供給する。
【０１５４】
すなわち、画像処理部を用いた処理を経て生成されたドットデータに基づいて、各画素位置の吐出タイミング、インク吐出量が決められ、且つ、ドットデータに基づいて、各画素位置の吐出タイミング、インク吐出量に応じた駆動電圧、各画素の吐出タイミングを決める制御信号が生成される。
【０１５５】
駆動電圧、及び制御信号は、液体吐出ヘッド５６Ｃ、液体吐出ヘッド５６Ｍ、液体吐出ヘッド５６Ｙ、及び液体吐出ヘッド５６Ｋへ供給される。駆動電圧、及び制御信号に基づいて、液体吐出ヘッド５６Ｃ、液体吐出ヘッド５６Ｍ、液体吐出ヘッド５６Ｙ、及び液体吐出ヘッド５６Ｋから吐出させたインクを用いて、用紙Ｓはドットが記録される。
【０１５６】
インク乾燥制御部１２０は、システムコントローラ１００からの指令に応じてインク乾燥処理部２０の動作を制御する。インク乾燥制御部１２０は、乾燥気体温度、乾燥気体の流量、又は乾燥気体の噴射タイミングなどを制御する。
【０１５７】
排紙制御部１２４は、システムコントローラ１００からの指令に応じて排紙部２４の動作を制御する。排紙制御部１２４は、図１に示した排紙台７６が昇降機構を含む場合に、用紙Ｓの増減に応じて昇降機構の動作を制御する。
【０１５８】
メンテナンス制御部１２６は、システムコントローラ１００からの指令に応じてメンテナンス部２６の動作を制御する。メンテナンス部２６の詳細、及びメンテナンス部２６を用いたメンテナンスの詳細は後述する。
【０１５９】
図２に示したインクジェット記録装置１０は、操作部１３０、表示部１３２、パラメータ記憶部１３４、及びプログラム格納部１３６を備えている。
【０１６０】
操作部１３０は、操作ボタン、キーボード、又はタッチパネル等の操作部材を備えている。操作部１３０は複数の種類の操作部材が含まれていてもよい。なお、操作部材の図示を省略する。
【０１６１】
操作部１３０を介して入力された情報は、システムコントローラ１００に送られる。システムコントローラ１００は、操作部１３０から送出された情報に応じて各種処理を実行させる。
【０１６２】
表示部１３２は、液晶パネル等の表示装置、及びディスプレイドライバーを備えている。図２では、表示装置、及びディスプレイドライバーの図示を省略する。表示部１３２はシステムコントローラ１００からの指令に応じて、装置の各種設定情報、又は異常情報などの各種情報を表示装置に表示させる。
【０１６３】
パラメータ記憶部１３４は、インクジェット記録装置１０に使用される各種パラメータが記憶される。パラメータ記憶部１３４に記憶されている各種パラメータは、システムコントローラ１００を介して読み出され、装置各部に設定される。
【０１６４】
プログラム格納部１３６は、インクジェット記録装置１０の各部に使用されるプログラムが格納される。プログラム格納部１３６に格納されている各種プログラムは、システムコントローラ１００を介して読み出され、装置各部において実行される。
【０１６５】
図２では、機能ごとに各部を列挙している。図２に示した各部は適宜、統合、分離、兼用、又は省略が可能である。
【０１６６】
図３は図２に示したメンテナンス制御部、及びメンテナンス部のブロック図である。図３に示したメンテナンス制御部１２６は、ヘッド移動制御部１４０、払拭ウエブ走行制御部１４２、払拭ウエブ移動制御部１４４、及びパージ制御部１４６を備えている。
【０１６７】
メンテナンス部２６は、ヘッド移動部１５０、払拭ウエブ走行部１５２、払拭ウエブ移動部１５４、パージ処理部１５６、及び払拭ウエブ位置センサ１５８を備えている。
【０１６８】
ヘッド移動制御部１４０は、システムコントローラ１００からの指令に応じてヘッド移動部１５０の動作を制御する。ヘッド移動部１５０は、ヘッド支持部に支持される液体吐出ヘッド５６Ｃ、液体吐出ヘッド５６Ｍ、液体吐出ヘッド５６Ｙ、及び液体吐出ヘッド５６Ｋを移動させる。ヘッド支持部は、図８に符号１５を付して図示する。
【０１６９】
例えば、用紙Ｓに対して描画を実行する際に、ヘッド移動制御部１４０は、ヘッド移動部１５０を用いて、図１に示した液体吐出ヘッド５６Ｃ、液体吐出ヘッド５６Ｍ、液体吐出ヘッド５６Ｙ、及び液体吐出ヘッド５６Ｋを、メンテナンス位置から描画位置へ移動させる。
【０１７０】
また、液体吐出ヘッド５６Ｃ、液体吐出ヘッド５６Ｍ、液体吐出ヘッド５６Ｙ、及び液体吐出ヘッド５６Ｋに対してメンテナンス処理を施す際に、図３に示したヘッド移動制御部１４０は、ヘッド移動部１５０を用いて、図１に示した液体吐出ヘッド５６Ｃ、液体吐出ヘッド５６Ｍ、液体吐出ヘッド５６Ｙ、及び液体吐出ヘッド５６Ｋを、描画位置からメンテナンス位置へ移動させる。
【０１７１】
液体吐出ヘッド５６Ｃ、液体吐出ヘッド５６Ｍ、液体吐出ヘッド５６Ｙ、及び液体吐出ヘッド５６Ｋに対するメンテナンス処理は、パージ処理、及び液体吐出面の払拭処理などの回復処理が含まれる。パージ処理、及び液体吐出面の払拭処理の詳細は後述する。
【０１７２】
メンテナンス位置、及び描画位置は、図９に図示する。図３に示したヘッド移動部１５０は、液体吐出ヘッドと払拭部とを相対的に移動させる相対移動部の一態様である。
【０１７３】
払拭ウエブ走行制御部１４２は、システムコントローラ１００からの指令に応じて払拭ウエブ走行部１５２の動作を制御する。払拭ウエブ走行制御部１４２は、払拭ウエブ走行部１５２を用いて、払拭ウエブの走行開始タイミング、走行停止タイミング、及び走行速度を制御する。払拭ウエブは、図９に符号３１０を付して図示する。
【０１７４】
払拭ウエブ走行部１５２は、モータ等の駆動源、駆動源と連結される駆動機構、払拭ウエブの走行経路において払拭ウエブを支持する支持部材を備えている。駆動機構の例としてギア等が挙げられる。支持部材の例としてローラ等が挙げられる。
【０１７５】
払拭ウエブ走行部１５２の構成要素の具体例は、図１１に図示する。図３に示した払拭ウエブ走行部１５２は、払拭シート走行部の一態様である。
【０１７６】
払拭ウエブ移動制御部１４４は、システムコントローラ１００からの指令に応じて払拭ウエブ移動部１５４の動作を制御する。払拭ウエブ移動制御部１４４は、払拭ウエブ移動部１５４を用いて、払拭ウエブの移動方向、及び払拭ウエブの移動距離を制御する。
【０１７７】
払拭ウエブ移動部１５４は、モータ等の駆動源、駆動源と連結される駆動機構、払拭ウエブの移動経路において払拭ウエブを支持する支持部材を備えている。払拭ウエブ移動部１５４の構成要素の具体例は、図１１、図１２、及び図２０に図示する。
【０１７８】
払拭ウエブ走行部１５２、及び払拭ウエブ移動部１５４は、図１１に示すクリーナ３００に備えられる。払拭ウエブ移動部１５４は、払拭シート位置移動部の一態様である。
【０１７９】
パージ制御部１４６は、システムコントローラ１００からの指令に応じてパージ処理部１５６の動作を制御する。パージ制御部１４６は、パージ処理の際のインク吐出を制御する。
【０１８０】
パージ処理の際に、パージ制御部１４６は、パージ処理部１５６を用いて、図１に示した液体吐出ヘッド５６Ｃ、液体吐出ヘッド５６Ｍ、液体吐出ヘッド５６Ｙ、及び液体吐出ヘッド５６Ｋに対してパージ処理の駆動電圧を供給する。
【０１８１】
パージ処理部１５６の駆動電圧生成部、駆動電圧供給部は、図２に示した描画制御部１１８の駆動回路と兼用してもよい。
【０１８２】
パージ処理部１５６は、図１に示した液体吐出ヘッド５６Ｃ、液体吐出ヘッド５６Ｍ、液体吐出ヘッド５６Ｙ、及び液体吐出ヘッド５６Ｋから排出させたインクを受容するインク受け、及び排インクが収容される排インクタンクを備えている。インク受けは、図９に示す保湿ユニット９４と兼用可能である。
【０１８３】
払拭ウエブ位置センサ１５８は、払拭ウエブ移動部１５４を用いた払拭ウエブの移動経路において、払拭ウエブの位置を検出する。払拭ウエブ位置センサ１５８は、払拭ウエブの移動経路における払拭ウエブの位置の情報を表す検出信号をシステムコントローラ１００へ送出する。
【０１８４】
システムコントローラ１００は、払拭ウエブの移動経路における払拭ウエブの位置の情報を払拭ウエブ移動制御部１４４へ送出する。払拭ウエブ移動制御部１４４は、システムコントローラ１００から送出された払拭ウエブの移動経路における払拭ウエブの位置の情報を用いて、払拭ウエブ移動部１５４の動作をフィードバック制御する。
【０１８５】
図２、及び図３に示した各種の処理部のハードウエア的な構造は、以下に示す各種のプロセッサである。各種のプロセッサには、ＣＰＵ、ＰＬＤ、及びＡＳＩＣなどが含まれる。処理部の例として、図２、及び図３に示した各種の処理部は、実質的に処理を担うものの、名称に処理部の用語が使用されていない場合がある。制御部などの用語が使用される場合も、各種の処理部の概念に含まれうる。
【０１８６】
図２、及び図３に示した各種の処理部の例として、搬送制御部１１０、給紙制御部１１２、及び描画制御部１１８などが挙げられる。なお、制御部は、英語表記を用いてｐｒｏｃｅｓｓｉｎｇ  ｕｎｉｔと記載されるものが含まれる。プロセッサは英語表記を用いてｐｒｏｃｅｓｓｏｒと記載されるものが含まれる。
【０１８７】
ＣＰＵは、ソフトウエアを実行して各種の処理部として機能する汎用的なプロセッサである。ソフトウエアは、プログラムと読み替えることが可能である。ＰＬＤは、製造後に回路構成を変更可能なプロセッサである。ＰＬＤの例として、ＦＰＧＡが挙げられる。ＰＬＤはＰｒｏｇｒａｍｍａｂｌｅ  Ｌｏｇｉｃ  Ｄｅｖｉｃｅの省略語である。ＦＰＧＡはＦｉｅｌｄ  Ｐｒｏｇｒａｍｍａｂｌｅ  Ｇａｔｅ  Ａｒｒａｙの省略語である。
【０１８８】
ＡＳＩＣは、特定の処理を実行させるために専用に設計された回路構成を有するプロセッサ、又は専用電気回路である。ＡＳＩＣはＡｐｐｌｉｃａｔｉｏｎ  Ｓｐｅｃｉｆｉｃ  Ｉｎｔｅｇｒａｔｅｄ  Ｃｉｒｃｕｉｔの省略語である。
【０１８９】
一つの処理部は、上記した各種のプロセッサのうちの一つで構成されていてもよい。一つの処理部は、同じ種類の二つ以上のプロセッサ、又は異なる種類の二つ以上のプロセッサを用いて構成されてもよい。同じ種類の二つ以上のプロセッサの例として、複数のＦＰＧＡが挙げられる。異なる種類の二つ以上のプロセッサの例として、ＣＰＵ、及びＦＰＧＡの組み合わせが挙げられる。
【０１９０】
また、一つのプロセッサを用いて複数の処理部を構成してもよい。一つのプロセッサを用いて複数の処理部を構成する例として、一つ以上のＣＰＵ、及びソフトウエアの組合せを用いて一つのプロセッサを構成し、一つのプロセッサが複数の処理部として機能する態様が挙げられる。具体例として、サーバ、及びクライアントなどのコンピュータが挙げられる。
【０１９１】
複数の処理部を一つのプロセッサで構成する他の例として、複数の処理部を含むシステム全体の機能を一つのＩＣチップで実現するプロセッサを使用する態様が挙げられる。具体例として、システムオンチップが挙げられる。システムオンチップは英語表記を用いてＳｙｓｔｅｍ  Ｏｎ  Ｃｈｉｐ、又はＳｏＣと記載されるものが含まれる。なお、ＩＣはＩｎｔｅｇｒａｔｅｄ  Ｃｉｒｃｕｉｔの省略語である。
【０１９２】
このように、図２、及び図３に示した各種の処理部は、ハードウエア的な構造として、上記した各種のプロセッサを一つ以上用いて構成される。
【０１９３】
更に、上記した各種のプロセッサのハードウエア的な構造は、より具体的には、半導体素子などの回路素子を組み合わせた電気回路である。なお、電気回路は英語表記を用いてｃｉｒｃｕｉｔｒｙと記載されるものが含まれる。
【０１９４】
図２、及び図３に示した各種の記憶部の具体例として、メモリ、記憶素子、又は記憶装置が挙げられる。図２、及び図３に示したプログラム格納部１３６の例として、各種のプログラムが格納されている記憶装置が挙げられる。
【０１９５】
［液体吐出ヘッドの構造］
＜全体構成＞
図４は液体吐出ヘッドの構造例を示す透視平面図である。図４に示した液体吐出ヘッド５６は、用紙Ｓの搬送方向と直交する方向である用紙Ｓの幅方向について複数のヘッドモジュール２００を繋ぎ合わせた構造を有している。
【０１９６】
図４に示した液体吐出ヘッド５６は、図１に示した液体吐出ヘッド５６Ｃ、液体吐出ヘッド５６Ｍ、液体吐出ヘッド５６Ｙ、及び液体吐出ヘッド５６Ｋのうちの任意の一つである。
【０１９７】
以下、液体吐出ヘッド５６、及び符号を付さない液体吐出ヘッドは、図１に示した液体吐出ヘッド５６Ｃ、液体吐出ヘッド５６Ｍ、液体吐出ヘッド５６Ｙ、及び液体吐出ヘッド５６Ｋのうちの任意の一つを表すか、又は液体吐出ヘッド５６Ｃ、液体吐出ヘッド５６Ｍ、液体吐出ヘッド５６Ｙ、及び液体吐出ヘッド５６Ｋの総称を表すこととする。
【０１９８】
用紙Ｓの幅方向は、符号Ｘを付した矢印線を用いて図示する。用紙Ｓの搬送方向は符号Ｙを付した矢印線を用いて図示する。
【０１９９】
図４に示した液体吐出ヘッド５６は、用紙Ｓの幅方向における用紙Ｓの全長Ｌｍａｘ以上の長さにわたって、複数のノズル部が配置されたライン型の液体吐出ヘッドである。図４に図示しないノズル部は、図７に符号２８１を付して図示する。
【０２００】
液体吐出ヘッド５６を構成する複数のヘッドモジュール２００は同一の構造を適用可能である。また、ヘッドモジュール２００は単体でも液体吐出ヘッドとして機能させることが可能である。
【０２０１】
＜ヘッドモジュールの構造＞
図５はヘッドモジュール斜視図であり部分断面図を含む図である。図５に示したヘッドモジュール２００は、液体吐出面２７７に反対の上面の側に、インク供給室２３２とインク循環室２３６等からなるインク供給ユニットを有している。なお、図５の符号２７５は、ノズルプレートを表している。
【０２０２】
インク供給室２３２は、供給側個別流路２５２を介して図示しないインクタンクに接続され、インク循環室２３６は、回収側個別流路２５６を介して図示しない回収タンクに接続される。
【０２０３】
ヘッドモジュール２００は、ヘッドモジュール２００の短手方向について、本体部２０１が両側から固定部材２７８に挟まれて固定される構造を有している。固定部材２７８は、金属、及び樹脂などの材料を適用可能である。
【０２０４】
本明細書において、ヘッドモジュール２００の短手方向は、液体吐出ヘッド５６の短手方向と読み替えることが可能である。また、本明細書において、ヘッドモジュール２００の短手方向、及び液体吐出ヘッド５６の短手方向は、用紙搬送方向と読み替えることが可能である。
【０２０５】
図５に示した符号２７７Ａは、シリコンが用いられるノズルプレート２７５におけるノズル開口が形成されるノズル開口形成領域を表している。また、符号２７８Ａ、及び符号２７８Ａは、固定部材２７８のノズル開口非形成領域であり、ノズル開口が非形成のノズル開口非形成領域を表している。ノズル開口は、図６に符号２８０を付して図示する。
【０２０６】
すなわち、液体吐出面２７７は、ノズルプレート２７５のノズル開口形成領域２７７Ａ、固定部材２７８のノズル開口非形成領域２７８Ａ、及び固定部材２７８のノズル開口非形成領域２７８Ｂが含まれる。
【０２０７】
ノズル開口形成領域２７７Ａは、吐出口形成領域の一態様である。ノズル開口非形成領域２７８Ａ、及びノズル開口非形成領域２７８Ｂは、吐出口非形成領域の一態様である。
【０２０８】
図６はヘッドモジュールの液体吐出面の透視平面図である。図６では液体吐出面２７７に配置されるノズル開口２８０の数を省略して描いているが、一つのヘッドモジュール２００の液体吐出面２７７には、二次元配置が適用されて複数のノズル開口２８０が配置されている。ノズル開口２８０は吐出口の一態様である。
【０２０９】
ヘッドモジュール２００は、媒体搬送方向と直交する方向に対して角度βの傾きを有するＶ方向に沿った長辺側の端面と、媒体搬送方向に対して角度αの傾きを持つＷ方向に沿った短辺側の端面とを有する平行四辺形の平面形状となっており、Ｖ方向に沿う行方向、及びＷ方向に沿う列方向について、複数のノズル開口２８０がマトリクス配置されている。
【０２１０】
ノズル開口２８０の配置は図６に示した態様に限定されず、媒体搬送方向と直交する方向に沿う行方向、及び媒体搬送方向と直交する方向に対して斜めに交差する列方向に沿って複数のノズル開口２８０が配置されてもよい。
【０２１１】
ノズル開口２８０のマトリクス配置とは、複数のノズル開口２８０を媒体搬送方向と直交する方向に投影させて、複数のノズル開口２８０を媒体搬送方向と直交する方向に沿って配置させた媒体搬送方向と直交する方向の投影ノズル列において、ノズル開口２８０の配置間隔が均一となるノズル開口２８０の配置である。
【０２１２】
ヘッドモジュール２００の短手方向について、ノズル開口形成領域２７７Ａの全長は、ノズル開口形成領域２７７Ａの一方の側のノズル開口非形成領域２７８Ａの全長以上である。
【０２１３】
また、ヘッドモジュール２００の短手方向について、ノズル開口形成領域２７７Ａの全長は、ノズル開口形成領域２７７Ａの他方の側のノズル開口非形成領域２７８Ｂの全長以上である。
【０２１４】
ヘッドモジュール２００の短手方向について、液体吐出面２７７の全長は、ノズル開口形成領域２７７Ａの全長、ノズル開口非形成領域２７８Ａの全長、及びノズル開口非形成領域２７８Ｂの全長を加算した長さである。
【０２１５】
図７はヘッドモジュールの内部構造を示す断面図である。ヘッドモジュール２００は、インク供給路２１４、個別供給路２１６、圧力室２１８、ノズル連通路２２０、及び循環個別流路２２６を備えている。
【０２１６】
インク供給路２１４は、個別供給路２１６を介して圧力室２１８と繋がれる。圧力室２１８は、ノズル連通路２２０を介してとノズル開口２８０と繋がれる。ノズル連通路２２０は、循環個別流路２２６を介して循環共通流路２２８と繋がれる。なお、圧力室２１８は、液室と呼ばれることがある。
【０２１７】
ヘッドモジュール２００は、インク供給路２１４、個別供給路２１６、圧力室２１８、ノズル連通路２２０、循環個別流路２２６、及び循環共通流路２２８が形成される流路構造体２１０の上に、振動板２６６が配置される。
【０２１８】
振動板２６６の上には接着層２６７を介して、下部電極２６５、圧電体層２３１、及び上部電極２６４の積層構造から成る圧電素子２３０が配置される。なお、下部電極２６５は共通電極と呼ばれることがあり、上部電極２６４は個別電極と呼ばれることがある。
【０２１９】
上部電極２６４は、各圧力室２１８の形状に対応してパターニングされた個別電極となっている。すなわち、ヘッドモジュール２００は、圧力室２１８ごとに圧電素子２３０を備えている。
【０２２０】
インク供給路２１４は、図５に示したインク供給室２３２に繋がっている。図７に示したインク供給路２１４から個別供給路２１６を介して圧力室２１８にインクが供給される。
【０２２１】
圧電素子２３０の上部電極２６４に駆動電圧を印加することに起因して、圧電素子２３０、及び振動板２６６が変形して圧力室２１８の容積が変化する。圧力室２１８の容積の変化に伴う圧力変化に起因して、ノズル連通路２２０を介してノズル開口２８０からインクが打滴される。
【０２２２】
入力画像データから生成されるドット配置データに応じて、各ノズル開口２８０に対応する圧電素子２３０の駆動を制御することに起因して、ノズル開口２８０からインクを打滴させることができる。
【０２２３】
用紙Ｓを一定の速度で媒体搬送方向に搬送しながら、用紙Ｓの搬送速度に合わせて各ノズル開口２８０からのインクの打滴タイミングが制御されることに起因して、用紙Ｓの上に所望の画像を記録することができる。
【０２２４】
圧力室２１８は、その平面形状が概略正方形となっており、対角線上の両隅部の一方にノズル開口２８０への流出口が設けられ、他方に供給インクの流入口である個別供給路２１６が設けられている。なお、圧力室２１８の平面形状の図示を省略する。
【０２２５】
なお、圧力室の平面形状は、正方形に限定されない。圧力室の平面形状は、菱形、長方形などの四角形、五角形、六角形その他の多角形、円形、及び楕円形など、多様な形態があり得る。
【０２２６】
ノズル開口２８０、及びノズル連通路２２０を含むノズル部２８１には、図示しない循環出口が形成される。ノズル部２８１は、図示しない循環出口を介して循環個別流路２２６と連通される。ノズル連通路２２０のインク、及びノズル開口２８０のインクのうち、打滴に使用されないインクは循環個別流路２２６を介して循環共通流路２２８へ回収される。
【０２２７】
循環共通流路２２８は、図５に示したインク循環室２３６に繋がっている。循環個別流路２２６を通ってインクが循環共通流路２２８へ回収されることに起因して、非打滴時におけるノズル開口２８０近傍のインクの増粘が防止される。
【０２２８】
ヘッドモジュールに備えられる吐出素子の一態様として、一つのノズル部２８１、及び一つのノズル部２８１に連通される圧力室２１８などの流路、ノズル部２８１に対応する圧電素子２３０が含まれる態様が挙げられる。
【０２２９】
本明細書におけるノズル部はノズル開口を含む概念を表している。本明細書においてノズル開口の用語とノズル部の用語とは、読み替えることが可能である。
【０２３０】
圧電素子２３０の例として、ノズル部２８１に対応して個別に分離した構造を有する圧電素子２３０が挙げられる。もちろん、複数のノズル部２８１に対して一体に圧電体層２３１が形成され、各ノズル部２８１に対応して個別電極が形成され、ノズル部２８１ごとに活性領域が形成される構造を適用してもよい。
【０２３１】
圧電素子に代わり圧力発生素子として圧力室２１８の内部にヒータを備え、ヒータに駆動電圧を供給して発熱させ、膜沸騰現象を利用して圧力室２１８内のインクをノズル開口２８０から打滴するサーマル方式が適用されてもよい。
【０２３２】
［液体吐出ヘッド支持部の構成例］
図８はヘッド支持部の構成例を示す描画部の側面図である。図８には、用紙搬送方向における描画部１８の上流側の位置に配置される処理液乾燥処理ドラム４６、及び用紙搬送方向における描画部１８の下流側の位置に配置されるチェーングリッパー６４の一部を図示する。
【０２３３】
図８に示した液体吐出ヘッド５６Ｃ、液体吐出ヘッド５６Ｍ、液体吐出ヘッド５６Ｙ、及び液体吐出ヘッド５６Ｋは、ヘッド支持部１５に取り付けられている。ヘッド支持部１５の詳細は後述する。なお、図８には、符号１を付して水平面を図示する。
【０２３４】
図８では、符号２７７Ｃを付して液体吐出ヘッド５６Ｃの液体吐出面を図示する。また、符号２７７Ｍを付して液体吐出ヘッド５６Ｍの液体吐出面を図示する。符号２７７Ｙを付して液体吐出ヘッド５６Ｙの液体吐出面を図示する。符号２７７Ｋを付して液体吐出ヘッド５６Ｋの液体吐出面を図示する。
【０２３５】
図９は描画部の正面図である。ヘッド支持部１５は、一対のサイドプレート８２Ｌ、及びサイドプレート８２Ｒ、並びに連結フレーム８４を含んで構成されている。一対のサイドプレート８２Ｌ、及びサイドプレート８２Ｒは、描画ドラム５２の回転軸５２Ｂと直交する方向に配置される。連結フレーム８４は、ヘッド支持部１５の上端部において、一対のサイドプレート８２Ｌとサイドプレート８２Ｒとを連結する。
【０２３６】
一対のサイドプレート８２Ｌ、及びサイドプレート８２Ｒは、板状に形成されている。一対のサイドプレート８２Ｌ、及びサイドプレート８２Ｒは、描画ドラム５２の回転軸５２Ｂの方向について、描画ドラム５２を挟んで互いに対向する位置に配置されている。
【０２３７】
一対のサイドプレート８２Ｌ、及びサイドプレート８２Ｒの内側面には、取付部８６Ｃ、取付部８６Ｍ、取付部８６Ｙ、及び取付部８６Ｋが配置される。なお、図９では、取付部８６Ｙ、及び取付部８６Ｋを図示し、取付部８６Ｃ、及び取付部８６Ｍの図示を省略する。
【０２３８】
図示しない取付部８６Ｃは、図９に図示しない液体吐出ヘッド５６Ｃを一対のサイドプレート８２Ｌ、及びサイドプレート８２Ｒに取り付ける。図示しない取付部８６Ｍは、図９に図示しない液体吐出ヘッド５６Ｍを一対のサイドプレート８２Ｌ、及びサイドプレート８２Ｒに取り付ける。
【０２３９】
図９に示した取付部８６Ｙは、液体吐出ヘッド５６Ｙを一対のサイドプレート８２Ｌ、及びサイドプレート８２Ｒに取り付ける。取付部８６Ｋは、液体吐出ヘッド５６Ｋを一対のサイドプレート８２Ｌ、及びサイドプレート８２Ｒに取り付ける。
【０２４０】
図示しない取付部８６Ｃ、及び取付部８６Ｍ、並びに図９に示した取付部８６Ｙ、取付部８６Ｋは、描画ドラム５２の回転軸５２Ｂを中心とした同心円上に一定の間隔をもって放射状に配置されている。
【０２４１】
液体吐出ヘッド５６Ｙの長手方向の両端に形成された被取付部８８Ｙを取付部８６Ｙに固定することに起因して、液体吐出ヘッド５６Ｙはヘッド支持部１５に取り付けられる。また、液体吐出ヘッド５６Ｋの長手方向の両端に形成された被取付部８８Ｋを取付部８６Ｋに固定することに起因して、液体吐出ヘッド５６Ｋはヘッド支持部１５に取り付けられる。
【０２４２】
図９に図示しない液体吐出ヘッド５６Ｃの長手方向の両端に形成された、図示しない被取付部８８Ｃを、図示しない取付部８６Ｃに固定することに起因して、液体吐出ヘッド５６Ｃは、図９に示したヘッド支持部１５に取り付けられる。
【０２４３】
また、図９に図示しない液体吐出ヘッド５６Ｍの長手方向の両端に形成された、図示しない被取付部８８Ｍを、図示しない取付部８６Ｍに固定することに起因して、液体吐出ヘッド５６Ｍはヘッド支持部１５に取り付けられる。
【０２４４】
そして、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋは、ヘッド支持部１５に取り付けられることに起因して、描画ドラム５２の回転軸５２Ｂを中心とした同心円上に一定の間隔をもって放射状に配置される。
【０２４５】
図９に図示しない液体吐出ヘッド５６Ｃ、及び液体吐出ヘッド５６Ｍ、並びに図９に示した液体吐出ヘッド５６Ｙ、及び液体吐出ヘッド５６Ｋが取り付けられるヘッド支持部１５は、図示しないガイドレールに案内されて、描画ドラム５２の回転軸５２Ｂに平行となる方向にスライド移動自在に設けられている。なお、描画ドラム５２の回転軸５２Ｂに平行となる方向は、水平面に平行となる方向である。
【０２４６】
そして、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋは、図３に示したヘッド移動部１５０を用いて、図９に示した実線を用いて図示した描画位置と、破線を用いて図示したメンテナンス位置との間を移動自在に配置されている。
【０２４７】
図９に示した矢印線は、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋの移動方向を表している。図９に示した矢印線が示す方向は、吐出口の配置方向に平行となる相対移動方向に相当する。
【０２４８】
図３に示したヘッド移動部１５０は、リニア駆動機構を適用可能である。リニア駆動機構の一例として、モータ、及びボールネジなどの直動機構を備える態様が挙げられる。図示しないリニア駆動機構の他の例として、リニアモータが挙げられる。
【０２４９】
ヘッド支持部１５を描画位置に位置させることに起因して、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋは、描画ドラム５２の周囲に配置され、描画が可能な状態になる。
【０２５０】
一方、ヘッド支持部１５をメンテナンス位置に位置させることに起因して、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋは、描画ドラム５２から退避する。
【０２５１】
メンテナンス位置には、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋを保湿するための保湿ユニット９４が設けられている。
【０２５２】
保湿ユニット９４は、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋにパージ処理を施す際に、インク受けとして機能させることが可能である。
【０２５３】
すなわち、保湿ユニット９４は、図２に示したパージ処理部１５６として機能させることが可能である。保湿ユニット９４は、図示しない廃液流路を介して廃液タンクと接続されてもよい。
【０２５４】
図９に図示しない液体吐出ヘッド５６Ｃ、及び液体吐出ヘッド５６Ｍ、並びに図９に示した液体吐出ヘッド５６Ｙ、及び液体吐出ヘッド５６Ｋが長時間使用されない場合は、ヘッド支持部１５をメンテナンス位置に位置させる。
【０２５５】
そして、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋは、保湿ユニット９４を用いて保湿される。これにより、乾燥に起因する、図９に図示しない液体吐出ヘッド５６Ｃ、及び液体吐出ヘッド５６Ｍ、並びに図９に示した液体吐出ヘッド５６Ｙ、及び液体吐出ヘッド５６Ｋの不吐出が防止される。
【０２５６】
描画位置とメンテナンス位置との間には、ヘッドクリーニングユニット９０が配置されている。ヘッドクリーニングユニット９０は、図９に図示しない液体吐出ヘッド５６Ｃの液体吐出面２７７Ｃ、及び液体吐出ヘッド５６Ｍの液体吐出面２７７Ｍ、並びに図９に示した液体吐出ヘッド５６Ｙの液体吐出面２７７Ｙ、及び液体吐出ヘッド５６Ｋの液体吐出面２７７Ｋを清掃する。
【０２５７】
図９には、ヘッドクリーニングユニット９０のうち、液体吐出ヘッド５６Ｋの液体吐出面２７７Ｋを清掃する部分を図示する。図９では、ヘッドクリーニングユニット９０のうち、図９に図示しない液体吐出ヘッド５６Ｃの液体吐出面２７７Ｃ、及び液体吐出ヘッド５６Ｍの液体吐出面２７７Ｍ、並びに図９に示した液体吐出ヘッド５６Ｙの液体吐出面２７７Ｙを清掃する部分の図示を省略する。ヘッドクリーニングユニット９０は払拭部の一態様である。
【０２５８】
ヘッドクリーニングユニット９０の詳細は後述するが、ヘッドクリーニングユニット９０は、払拭ウエブ３１０の払拭面を用いて、払拭対象の液体吐出ヘッド５６の液体吐出面２７７を払拭する。払拭ウエブ３１０の払拭面は、払拭ウエブ３１０の液体吐出面２７７と接触する面である。払拭ウエブは、払拭シートの一態様である。
【０２５９】
図９に示した液体吐出ヘッド５６Ｙは、描画位置からメンテナンス位置へ移動する際、又はメンテナンス位置から描画位置へ移動する際に、払拭ウエブ３１０を液体吐出面２７７Ｙに押圧させ、当接させることが可能である。
【０２６０】
また、図９に示した液体吐出ヘッド５６Ｋは、描画位置からメンテナンス位置へ移動する際、又はメンテナンス位置から描画位置へ移動する際に、図９に図示しない払拭ウエブを液体吐出面２７７Ｋに押圧させ、当接させることが可能である。
【０２６１】
図９に図示しない液体吐出ヘッド５６Ｃは、描画位置からメンテナンス位置へ移動する際、又はメンテナンス位置から描画位置へ移動する際に、図９に図示しない払拭ウエブを液体吐出面２７７Ｃに押圧させ、当接させることが可能である。
【０２６２】
また、図９に図示しない液体吐出ヘッド５６Ｍは、描画位置からメンテナンス位置へ移動する際、又はメンテナンス位置から描画位置へ移動する際に、図９に図示しない払拭ウエブを液体吐出面２７７Ｍに押圧させ、当接させることが可能である。
【０２６３】
これにより、図９に図示しない液体吐出ヘッド５６Ｃの液体吐出面２７７Ｃ、及び図９に図示しない液体吐出ヘッド５６Ｍの液体吐出面２７７Ｍ、並びに図９に示した液体吐出ヘッド５６Ｙの液体吐出面２７７Ｙ、及び図９に示した液体吐出ヘッド５６Ｋの液体吐出面２７７Ｋが払拭され、清掃される。
【０２６４】
なお、図９に符号３９３を付して図示した部材は、ヘッドクリーニングユニット９０のラックである。また。符号５２Ｅを付して図示した部材は、軸受である。符号５２Ｄを付して図示した部材は、本体フレームである。描画ドラム５２は、回転軸５２Ｂが本体フレーム５２Ｄに備えられた軸受５２Ｅに軸支されて、水平面１に対して平行に配置されている。
【０２６５】
ヘッドクリーニングユニット９０、及び保湿ユニット９４は、図２に示したメンテナンス部２６の構成要素の一例である。図９に示したヘッドクリーニングユニット９０は、図２に示した払拭ウエブ走行部１５２、及び払拭ウエブ移動部１５４を備えている。
【０２６６】
［ヘッドクリーニングユニットの構成］
図１０はヘッドクリーニングユニットの構成を示す側面図である。図１０に示したヘッドクリーニングユニット９０は、クリーナ３００Ｃ、クリーナ３００Ｍ、クリーナ３００Ｙ、及びクリーナ３００Ｋを備えている。
【０２６７】
クリーナ３００Ｃは、液体吐出ヘッド５６Ｃの液体吐出面２７７Ｃを払拭する。クリーナ３００Ｍは、液体吐出ヘッド５６Ｍの液体吐出面２７７Ｍを払拭する。クリーナ３００Ｙは、液体吐出ヘッド５６Ｙの液体吐出面２７７Ｙを払拭する。クリーナ３００Ｋは、液体吐出ヘッド５６Ｋの液体吐出面２７７Ｋを払拭する。
【０２６８】
また、ヘッドクリーニングユニット９０は、ラック３９３を備えている。ラック３９３は、クリーナ３００Ｃ、クリーナ３００Ｍ、クリーナ３００Ｙ、及びクリーナ３００Ｋが装着される。クリーナ３００Ｃ、クリーナ３００Ｍ、クリーナ３００Ｙ、及びクリーナ３００Ｋは、払拭部の構成要素の一例である。
【０２６９】
ラック３９３は、上端部が開口した箱状に形成されている。ラック３９３の内部は、クリーナ３００Ｃを装着する装着部９５Ｃ、クリーナ３００Ｍを装着する装着部９５Ｍ、クリーナ３００Ｙを装着する装着部９５Ｙ、及びクリーナ３００Ｋを装着する装着部９５Ｋが形成されている。
【０２７０】
クリーナ３００Ｃは、装着部９５Ｃの上端部の開口から下向きに差し込むことに起因して、装着部９５Ｃにセットされる。クリーナ３００Ｍは、装着部９５Ｍの上端部の開口から下向きに差し込むことに起因して、装着部９５Ｍにセットされる。クリーナ３００Ｙは、装着部９５Ｙの上端部の開口から下向きに差し込むことに起因して、装着部９５Ｙにセットされる。クリーナ３００Ｋは、装着部９５Ｋの上端部の開口から下向きに差し込むことに起因して、装着部９５Ｋにセットされる。
【０２７１】
ラック３９３は、インクジェット記録装置の図示しない装置本体フレームに設けられた、図示しない昇降装置に支持されて、水平面に対して垂直に昇降移動自在に設けられている。
【０２７２】
図１０に破線を用いて図示した円弧は、図９に示した描画ドラム５２を模式的に表している。図１０に図示した一点鎖線は、図９に示した水平面１に平行となる面を表している。
【０２７３】
符号３１０を付した部材は払拭ウエブである。符号３１２を付した部材はケースである。符号３１８を付した部材は押圧ローラである。符号３５８を付した部材は巻取ギアである。符号３７８を付した部材は昇降レバーである。符号３８２を付した部材はピンである。
【０２７４】
昇降レバー３７８、及びピン３８２は、図１０に図示しない前段ガイド、図１０に示した押圧ローラ３１８、及び図１０に図示しない後段ガイドの位置を決める位置決め部材である。クリーナ３００をラック３９３に差し込み、昇降レバー３７８とピン３８２とを係合させる。これにより、前段ガイド、押圧ローラ３１８、及び後段ガイドが位置決めされる。
【０２７５】
符号３８６を付した部材はローラ駆動ギアである。符号３８８を付した部材はアイドルギアである。符号３９２を付した部材は駆動ギアである。符号３９４を付した部材はモータである。前段ガイドは、図１１に符号３２０を付して図示する。後段ガイド、図１１に符号３２２を付して図示する。
【０２７６】
なお、払拭ウエブ３１０、ケース３１２、押圧ローラ３１８、巻取ギア３５８、昇降レバー３７８、ピン３８２、ローラ駆動ギア３８６、アイドルギア３８８、駆動ギア３９２、及びモータ３９４は、図１０に示したクリーナ３００Ｃ、クリーナ３００Ｍ、クリーナ３００Ｙ、及びクリーナ３００Ｋのそれぞれについて共通する部材であるので、符号の末尾のアルファベットを省略した。
【０２７７】
［クリーナの構成］
次に、クリーナ３００Ｃ、クリーナ３００Ｍ、クリーナ３００Ｙ、及びクリーナ３００Ｋの構成について説明する。なお、クリーナ３００Ｃ、クリーナ３００Ｍ、クリーナ３００Ｙ、及びクリーナ３００Ｋの基本構成は共通しているので、ここでは、クリーナ３００Ｃ、クリーナ３００Ｍ、クリーナ３００Ｙ、及びクリーナ３００Ｋは、クリーナ３００として説明する。
【０２７８】
図１１はクリーナの正面図である。図１１に示したクリーナ３００は、繰出軸３１４、前段ガイド３２０、押圧ローラ３１８、後段ガイド３２２、及び巻取軸３１６を備えている。
【０２７９】
前段ガイド３２０、押圧ローラ３１８、及び後段ガイド３２２は、払拭ウエブ３１０の走行方向について、前段ガイド３２０、押圧ローラ３１８、及び後段ガイド３２２の順に配置される。払拭ウエブ３１０の走行方向は、前段ガイド３２０、押圧ローラ３１８、及び後段ガイド３２２を経由して、繰出軸３１４から巻取軸３１６へ向かう方向である。
【０２８０】
前段ガイド３２０、及び後段ガイド３２２は払拭シート支持部の構成要素の一例である。押圧ローラ３１８は、払拭シート支持部材の一態様である。
【０２８１】
繰出軸３１４は、図９に示した水平面１に対して平行に配置される。図１１に示した繰出軸３１４は、ケース３１２に取り付けられた軸受部に回転自在に支持されている。なお、軸受部の図示は省略する。
【０２８２】
繰出軸３１４は、基端部にフランジを有する繰出リール３３８が装着される。繰出リール３３８は、繰出軸３１４に固定され、繰出軸３１４と一体に回転する。繰出リール３３８は、払拭ウエブ３１０が巻芯３１０Ａにロール状に巻かれた払拭ウエブロール３１１が装着される。
【０２８３】
払拭ウエブロール３１１は払拭シート供給ロールの一態様である。繰出軸３１４、及び繰出軸３１４に装着された繰出リール３３８は、払拭シート繰出部の構成要素の一例である。
【０２８４】
前段ガイド３２０は、第一前段ガイド３６０、及び第二前段ガイド３６２を備えている。第一前段ガイド３６０、及び第二前段ガイド３６２は、払拭ウエブロール３１１から繰り出された払拭ウエブ３１０を案内する。前段ガイド３２０は、第一ガイド部材の一態様である。
【０２８５】
第一前段ガイド３６０は、図９に示した水平面１に対して直交する方向に延びる板状の部材が適用される。図１１に示した第一前段ガイド３６０の上縁は上向きに凸となる曲面とされる。
【０２８６】
第一前段ガイド３６０の上縁は、図９に示した水平面１に対して傾斜している。図１１に示した第一前段ガイド３６０は、払拭ウエブ３１０の走行方向を重力方向に反対となる方向の上方向から水平方向へ変換する。
【０２８７】
第一前段ガイド３６０の長手方向の両端は、フランジ部３６０Ｌ、及びフランジ部３６０Ｒが形成される。フランジ部３６０Ｌ、及びフランジ部３６０Ｒは、払拭ウエブ３１０の幅方向の両端をガイドする。払拭ウエブ３１０は、フランジ部３６０Ｌ、及びフランジ部３６０Ｒを用いて幅方向の両端がガイドされることに起因して、斜行が抑制される。第一前段ガイド３６０は、第一ガイド部材の一態様である。
【０２８８】
第二前段ガイド３６２は、長手方向の一方の端にフランジ部３６２Ｌを有し、長手方向の他方の端にフランジ部３６２Ｒをするガイドローラが適用される。フランジ部３６２Ｌは、ブラケット３６８Ａを用いて支持される。
【０２８９】
フランジ部３６２Ｌは、払拭ウエブ３１０の幅方向の一方の端を支持する。フランジ部３６２Ｒは、払拭ウエブ３１０の幅方向の他方の端を支持する。これにより、払拭ウエブ３１０の斜行が抑制される。なお、払拭ウエブ３１０の幅方向は、払拭ウエブ３１０の走行方向と直交する方向であり、払拭ウエブ３１０の払拭面に平行となる面である。払拭ウエブ３１０の幅方向は、払拭シートの幅方向の一態様である。
【０２９０】
第二前段ガイド３６２は、第一前段ガイド３６０と押圧ローラ３１８との間に配置される。第二前段ガイド３６２は、払拭ウエブ３１０の走行方向を微調整する。第二前段ガイド３６２は、払拭ウエブ３１０の走行方向を水平方向から重力方向の成分を有する斜め下方向へ変換する。また、第二前段ガイド３６２は、払拭ウエブ３１０の走行方向を重力方向の成分を有する斜め下方向から、重力方向に反対となる方向の成分を有する斜め上方向へ変換する。第二前段ガイド３６２は、第一ガイド部材の一態様である。
【０２９１】
押圧ローラ３１８の中心軸は、繰出軸３１４の真上の位置に配置される。繰出軸３１４の真上の位置は、繰出軸３１４の中心軸の位置から重力方向に反対となる方向へ延ばした直線上の位置である。すなわち、押圧ローラ３１８の中心軸、繰出軸３１４、及び巻取軸３１６は、重力方向に平行となる方向の直線上に配置される。
【０２９２】
押圧ローラ３１８は、図９に示した水平面１に対して傾斜して配置される。水平面１に対する図１１に示した押圧ローラ３１８の傾斜は、図９に示した水平面１に対する払拭対象の液体吐出ヘッド５６の液体吐出面２７７の傾斜に対応している。
【０２９３】
換言すると、図１１に示した押圧ローラ３１８は、液体吐出ヘッド５６の液体吐出面２７７と平行に配置される。ここでいう液体吐出面２７７は、図１０に示した液体吐出面２７７Ｃ、液体吐出面２７７Ｍ、液体吐出面２７７Ｙ、及び液体吐出面２７７Ｋの任意の一つである。
【０２９４】
以下、液体吐出面２７７、及び符号を付さない液体吐出面は、図１０に示した液体吐出面２７７Ｃ、液体吐出面２７７Ｍ、液体吐出面２７７Ｙ、及び液体吐出面２７７Ｋの任意の一つ、又は液体吐出面２７７Ｃ、液体吐出面２７７Ｍ、液体吐出面２７７Ｙ、及び液体吐出面２７７Ｋの総称である。
【０２９５】
押圧ローラ３１８は、長手方向の一方の端に図示しない第一軸部を備えている。第一軸部は、押圧ローラ３１８の長手方向の一方の端から突出している。また、押圧ローラ３１８は、長手方向の他方の端に図示しない第二軸部を備えている。第二軸部は、押圧ローラ３１８の長手方向の他方の端から突出している。
【０２９６】
図示しない第一軸部は、図示しない第一軸支持部を用いて支持される。図示しない第二軸部は、図１１に示した第二軸支持部３４６Ｒを用いて支持される。押圧ローラ３１８は、図示しない第一軸支持部、及び第二軸支持部３４６Ｒを用いて、回動自在、且つ、揺動自在に支持される。
【０２９７】
クリーナ３００は、払拭対象の液体吐出ヘッド５６の液体吐出面２７７に向けて押圧ローラ３１８を付勢させる付勢部を備えている。なお、付勢部の図示は省略する。付勢部の例として、ばね等の弾性部材を備える態様が挙げられる。ばねの配置例として、図示しない第一軸部の下側、及び図示しない第二軸部の下側が挙げられる。
【０２９８】
後段ガイド３２２は、第一後段ガイド３６４、及び第二後段ガイド３６６を備えている。第一後段ガイド３６４、及び第二後段ガイド３６６は、押圧ローラ３１８を通過した払拭ウエブ３１０を案内する。後段ガイド３２２は、第二ガイド部材の一態様である。
【０２９９】
第一後段ガイド３６４は、第一前段ガイド３６０と同様の構造が適用可能である。ここでは、第一後段ガイド３６４の構造の説明を省略する。第一後段ガイド３６４は、払拭ウエブ３１０の走行方向を、水平方向から重力方向の下方向へ変換させる。符号３６４Ｌ、及び符号３６４Ｒは、第一後段ガイド３６４の長手方向の両端に形成されたフランジ部を表している。
【０３００】
フランジ部３６４Ｌ、及びフランジ部３６４Ｒは、払拭ウエブ３１０の幅方向の両端を支持する。フランジ部３６４Ｌ、及びフランジ部３６４Ｒは、払拭ウエブ３１０の斜行を抑制する。第一後段ガイド３６４は、第二ガイド部材の一態様である。
【０３０１】
第二後段ガイド３６６は、第二前段ガイド３６２と同様の構造が適用可能である。ここでは、第二後段ガイド３６６の構造の説明を省略する。第二後段ガイド３６６は、押圧ローラ３１８と第一後段ガイド３６４との間に配置される。第二前段ガイド３６２は、払拭ウエブ３１０の走行方向を微調整する。
【０３０２】
第二後段ガイド３６６は、払拭ウエブ３１０の走行方向を重力方向の成分を有する斜め下方向から、重力方向に反対となる方向の成分を有する斜め上方向へ変換する。また、第二後段ガイド３６６は、払拭ウエブ３１０の走行方向を重力方向に反対となる方向の成分を有する斜め上方向から水平方向へ変換する。
【０３０３】
なお、符号３６６Ｌを付した部材は、第二前段ガイド３６２の長手方向の一方の端のフランジ部である。符号３６６Ｒを付した部材は、第二前段ガイド３６２の長手方向の他方の端のフランジ部である。また、符号３６８Ｂを付した部材は、第二後段ガイド３６６の一方の端を支持するブラケットである。第二後段ガイド３６６は、第二ガイド部材の一態様である。
【０３０４】
第一前段ガイド３６０、押圧ローラ３１８、及び第二後段ガイド３６６は、昇降ステージ３７０の上に配置されている。昇降ステージ３７０は、重力方向に反対となる上方向へ上昇可能に支持される。また、昇降ステージ３７０は、重力方向となる下方向へ下降可能に支持される。
【０３０５】
昇降ステージ３７０の下側面には、ガイド軸３７２が取り付けられている。ガイド軸３７２は、昇降ステージ３７０の下側面から重力方向に延びている。ガイド軸３７２は、ガイドブッシュ３７４に嵌合している。
【０３０６】
ガイドブッシュ３７４は、支持部材３７６を介して、ケース３１２の内壁面に固定されている。ガイドブッシュ３７４は、ガイド軸３７２を重力方向に平行となる方向に案内する。
【０３０７】
巻取軸３１６は、巻取りリール３４２が装着される。巻取りリール３４２は、基端部にフランジ部３４２Ａを備えている。巻取りリール３４２は、軸部の内周に滑り部材３４４が取り付けられている。巻取りリール３４２は、回転方向に一定以上の負荷がかかると、巻取軸３１６に対して滑る構造を有している。
【０３０８】
払拭ウエブ３１０の先端に取り付けられた巻芯３１０Ｂを巻取りリール３４２へ嵌め込むことに起因して、巻取りリール３４２は巻芯３１０Ｂに取り付けられる。
【０３０９】
巻取軸３１６は、巻取ギア３５８が取り付けられる。巻取ギア３５８は、アイドルギア３８８が噛み合わせられる。アイドルギア３８８は、ローラ駆動ギア３８６が噛み合わせられる。アイドルギア３８８は、ケース３１２に備えられた軸受部３９０を用いて、ケース３１２に回転可能に支持される。巻取軸３１６、及び巻取軸３１６に装着された巻取りリール３４２は、巻取部の一態様である。
【０３１０】
ローラ駆動ギア３８６は、フィードローラ３２４に取り付けられる。クリーナ３００を、図１０に示したラック３９３に装着することに起因して、アイドルギア３８８は、駆動ギア３９２と噛み合わせられる。駆動ギア３９２は、モータ３９４の回転軸に取り付けられる。
【０３１１】
モータ３９４の回転軸の回転に起因して、駆動ギア３９２、及びアイドルギア３８８が回転する。アイドルギア３８８の回転に起因して、巻取ギア３５８、及びローラ駆動ギア３８６が同期して回転する。
【０３１２】
モータ３９４は、図２に示した払拭ウエブ走行制御部１４２を用いて動作が制御される。払拭ウエブ走行制御部１４２は、図１０に示したモータ３９４の動作開始タイミング、動作停止タイミング、及び回転速度等を制御する。換言すると、図２に示した払拭ウエブ走行制御部１４２は、図１１に示した払拭ウエブ３１０の走行開始タイミング、走行停止タイミング、及び走行速度等を制御する。
【０３１３】
図１０に示した駆動ギア３９２、モータ３９４、巻取ギア３５８、ローラ駆動ギア３８６、及びアイドルギア３８８は、図２に示した払拭ウエブ走行部１５２の構成要素の一例である。また、図１１に示した繰出軸３１４、前段ガイド３２０、押圧ローラ３１８、後段ガイド３２２、フィードローラ３２４、及び巻取軸３１６は、図２に示した払拭ウエブ走行部１５２の構成要素の一例である。
【０３１４】
図１１には、払拭ウエブロール３１１から繰り出された払拭ウエブ３１０が巻取軸３１６へ至る、払拭ウエブ３１０の走行経路が模式的に図示されている。払拭ウエブロール３１１から繰り出された払拭ウエブ３１０は、第一前段ガイド３６０の上縁、第二前段ガイド３６２の下側、押圧ローラ３１８の上側、第二後段ガイド３６６の下側、第二前段ガイド３６２の上縁、及びフィードローラ３２４を経由して、巻取軸３１６へ到達する。
【０３１５】
図１１に示したケース３１２は、図示しないケース本体、及び図示しない蓋を備えている。ケース本体は、縦方向に長い長方形の箱状に形成されており、上端部、及び前面部に開口が形成されている。蓋は、図示しないヒンジを介して、ケース本体の前面部に取り付けられている。ケース本体は、蓋を用いて前面部の開閉が可能とされる。
【０３１６】
蓋は、弾性変形可能なロック爪を備えている。ケース本体に備えられた爪受部に、弾性変形させたロック爪を係合させることに起因して、蓋はケース本体に固定される。なお、ロック爪、及び爪受部の図示は省略する。
【０３１７】
図１１に示したクリーナ３００は、傾斜して設置された押圧ローラ３１８に帯状に形成された払拭ウエブ３１０が巻き掛けられ、押圧ローラ３１８に巻き掛けられた払拭ウエブ３１０を、液体吐出ヘッド５６の液体吐出面２７７に押圧して当接させることに起因して、液体吐出ヘッド５６の液体吐出面２７７を払拭し、清掃する。
【０３１８】
本実施形態では、四つの液体吐出ヘッド５６を一体に移動させる態様が例示されているが、四つの液体吐出ヘッド５６は一つずつ移動させてもよい。また、本実施形態では、四つの液体吐出ヘッド５６に対応して、四つのクリーナ３００を備える態様が例示されているが、液体吐出ヘッド５６の数未満の数のクリーナ３００を備え、一つのクリーナ３００を用いて複数の液体吐出ヘッド５６の払拭が実行されてもよい。
【０３１９】
本実施形態では、四つのクリーナ３００が一体に支持される態様が例示されているが、四つのクリーナ３００は個別に支持されてもよい。また、二つのクリーナ３００が一体に支持されてもよいし、三つのクリーナ３００が一体に支持されてもよい。
【０３２０】
図１１では図示を省略するが、クリーナ３００は、第一前段ガイド３６０、及び第一後段ガイド３６４を重力方向、及び重力方向に反対となる方向へ移動させる払拭ウエブ移動部を備えている。払拭ウエブ移動部は、図２に符号１５４を付して図示する。以下に、払拭ウエブ移動部１５４について詳細に説明する。
【０３２１】
［第一実施形態に係る払拭ウエブ移動部の説明］
＜払拭ウエブ移動部の構成＞
図１２は第一実施形態に係る払拭ウエブ移動部の構成例を示すクリーナの斜視図である。図１２では、図１１に示したクリーナ３００の一部を図示する。また、図１２では、図１１に示したクリーナ３００の構成要素の一部を簡略化して図示する。更に、図１２では、図１１に示した払拭ウエブ３１０の図示を省略する。
【０３２２】
図１２に示した払拭ウエブ移動部１５４は、直動型モータ４００、連結部材４０２を備えている。直動型モータ４００は、図示しない固定子、及び可動子４０４を備えている。直動型モータ４００は、可動子４０４が上方向、及び下方向に移動可能に構成されている。直動型モータ４００は、直動型ステッピングモータを適用可能である。
【０３２３】
連結部材４０２は、第一前段ガイド３６０、及び第一後段ガイド３６４と、直動型モータ４００の可動子４０４とを連結させる。直動型モータ４００の可動子４０４を上方向へ移動させることに起因して、第一前段ガイド３６０、及び第一後段ガイド３６４は上方向へ移動する。
【０３２４】
また、直動型モータ４００の可動子４０４を下方向へ移動させることに起因して、第一前段ガイド３６０、及び第一後段ガイド３６４は下方向へ移動する。符号１５４Ａを付した矢印線は、可動子４０４の移動方向を表している。
【０３２５】
本実施形態では、払拭ウエブ移動部１５４の駆動源として直動型モータ４００を例示したが、直動型モータ４００に代わり、回転型モータと直動機構とを組わせてもよい。但し、直動型モータ４００が適用される場合は、払拭ウエブ移動部１５４の構造の簡素化が可能である。
【０３２６】
なお、図１２に符号４１０を付して図示した部材は、洗浄液供給ノズルである。洗浄液供給ノズル４１０は、洗浄液供給部の構成要素である。図１１では、洗浄液供給ノズル４１０の図示を省略した。
【０３２７】
＜払拭ウエブ移動部の動作＞
第一実施形態に係る液体吐出ヘッド５６の液体吐出面２７７の払拭処理では、液体吐出ヘッド５６の短手方向おけるノズル開口形成領域２７７Ａの全長と同一の幅を有する払拭ウエブ３１０が適用される。
【０３２８】
すなわち、払拭ウエブ３１０は、液体吐出ヘッド５６の短手方向における液体吐出面２７７の全長未満の幅を有し、且つ、液体吐出ヘッド５６の短手方向におけるノズル開口形成領域２７７Ａの全長以上の幅を有している。
【０３２９】
液体吐出ヘッド５６の短手方向は、払拭シートの幅方向に平行となる方向の一態様である。
【０３３０】
また、図９に示した水平面１に対して、液体吐出面２７７が傾斜して配置される液体吐出ヘッド５６におけるノズル開口形成領域２７７Ａ、ノズル開口非形成領域２７８Ａ、及びノズル開口非形成領域２７８Ｂは、第一実施形態の説明図である、図１２から図１８では図示を省略し、図２６に図示する。
【０３３１】
図１３は図１２に示した払拭ウエブ移動部の動作を模式的に表した払拭ウエブ移動部の動作説明図である。以下の説明に用いる図１３から図１７では、液体吐出ヘッド５６の図示を省略する。
【０３３２】
図１４から図１７では図示が省略される、ノズル開口非形成領域２７８Ａはノズル開口形成領域２７７Ａの下側に位置し、ノズル開口非形成領域２７８Ｂはノズル開口形成領域２７７Ａの上側に位置する。
【０３３３】
図１３に符号３１０Ｃを付した矢印線は、払拭ウエブ３１０の走行方向である。また、図１３に符号３１０Ｄを付した矢印線、及び符号３１０Ｅを付した矢印線は、第一前段ガイド３６０、及び第一後段ガイド３６４の移動方向である。図１３に符号３６４Ｂを付した一点破線は、第一前段ガイド３６０、及び第一後段ガイド３６４の初期位置である。
【０３３４】
本実施形態では、第一前段ガイド３６０が初期位置３６４Ｂに位置する状態は、第一前段ガイド３６０の重心が初期位置３６４Ｂに位置する状態とする。第一後段ガイド３６４についても同様である。なお、図１３では、第一前段ガイド３６０の重心、及び第一後段ガイド３６４の重心の図示を省略する。第一後段ガイド３６４の重心は、図１４に符号３６５を付して図示する。重心に代わり、上端、又は下端など他の代表位置を適用してもよい。
【０３３５】
図１３に符号３６４Ｃを付した一点破線は、第一前段ガイド３６０、及び第一後段ガイド３６４の初期位置よりも下側の任意の位置である。図１３に符号３６４Ｄを付した一点破線は、第一前段ガイド３６０、及び第一後段ガイド３６４の初期位置よりも上側の任意の位置である。
【０３３６】
本実施形態では、第一前段ガイド３６０が初期位置よりも下側の任意の位置３６４Ｃに位置する状態は、第一前段ガイド３６０の重心が初期位置よりも下側の任意の位置３６４Ｃに位置する状態とする。初期位置よりも上側の任意の位置３６４Ｄについても同様である。また、第一後段ガイド３６４についても同様である。
【０３３７】
図１３に二点破線を用いて示した第一後段ガイド３６４は、位置３６４Ｃ、又は位置３６４Ｄの第一後段ガイド３６４である。
【０３３８】
図１４は図１３示した払拭ウエブ移動部を払拭ウエブの走行方向について見た図である。なお、図１４では、図１３に示した第一前段ガイド３６０、及び第二前段ガイド３６２の図示を省略する。また、符号３６５は、第一後段ガイド３６４の重心を表している。以下に、第一後段ガイド３６４の上下方向の移動と、払拭ウエブ３１０の幅方向における払拭ウエブ３１０の移動との関係を説明する。
【０３３９】
図１５は第一前段ガイド、及び第一後段ガイドが初期位置に位置する場合の払拭ウエブの状態を表す模式図である。図１５では図示を省略した第一前段ガイド３６０は、第一後段ガイド３６４と同様に初期位置に位置している。
【０３４０】
図１５に図示しない第一前段ガイド３６０が初期位置に位置し、図１５に図示した第一後段ガイド３６４が初期位置３６４Ｂに位置する状態では、押圧ローラ３１８に支持される払拭ウエブ３１０の幅方向の中央位置は、押圧ローラ３１８の中央位置３１８Ａと一致している。
【０３４１】
また、図１５に図示しない液体吐出ヘッド５６は、液体吐出ヘッド５６の短手方向におけるノズル開口形成領域２７７Ａの中央位置が、押圧ローラ３１８の長手方向における押圧ローラ３１８の中央位置３１８Ａと一致している。
【０３４２】
ここでいう一致には、払拭ウエブ３１０を用いた液体吐出ヘッド５６の液体吐出面２７７の払拭処理に影響を与えない程度の位置ずれが生じている、実質的な一致が含まれる。
【０３４３】
図１５に図示しない第一前段ガイド３６０が初期位置に位置し、図１５に示した第一後段ガイド３６４が初期位置３６４Ｂに位置する状態において、液体吐出ヘッド５６の払拭処理が実行される場合、払拭ウエブ３１０は、ノズル開口形成領域２７７Ａを払拭する。
【０３４４】
すなわち、払拭ウエブ３１０の全幅は、液体吐出ヘッド５６の短手方向におけるノズル開口形成領域２７７Ａの全長以上であり、液体吐出ヘッド５６の長手方向について、液体吐出ヘッド５６と払拭ウエブ３１０とを相対的に一回だけ移動させることに起因して、ノズル開口形成領域２７７Ａの全領域の払拭処理が可能である。
【０３４５】
図１５に示した第一後段ガイド３６４が初期位置３６４Ｂに位置する状態において、液体吐出ヘッド５６の払拭処理が実行される場合、払拭ウエブ３１０は、ノズル開口形成領域２７７Ａの下側のノズル開口非形成領域２７８Ａの一部、又はノズル開口形成領域２７７Ａの上側のノズル開口非形成領域２７８Ｂの一部を払拭してもよい。
【０３４６】
図１６は第一前段ガイド、及び第一後段ガイドを初期位置から下方向に移動させた場合の払拭ウエブの移動方向を表す模式図である。図１６に図示しない第一前段ガイド３６０、及び図１６に示した第一後段ガイド３６４を初期位置３６４Ｂから下方向の任意の位置３６４Ｃへ移動させた場合、押圧ローラ３１８に支持される払拭ウエブ３１０は、押圧ローラ３１８の長手方向について、押圧ローラ３１８の下端３１８Ｂの方へ移動する。符号３１０Ｆを付した矢印線は、払拭ウエブ３１０の移動方向を表している。
【０３４７】
なお、二点破線を用いて図示した第一後段ガイド３６４は、初期位置３６４Ｂに位置する第一後段ガイド３６４を表している。図１７についても、同様である。
【０３４８】
図１６に示した、押圧ローラ３１８の長手方向における中央位置３１８Ａよりも下側の位置に、払拭ウエブ３１０の幅方向の中央位置が位置する状態において、液体吐出ヘッド５６の払拭処理が実行される場合、払拭ウエブ３１０は、ノズル開口形成領域２７７Ａの下側のノズル開口非形成領域２７８Ａを払拭する。
【０３４９】
押圧ローラ３１８の長手方向における中央位置３１８Ａよりも下側の位置に、払拭ウエブ３１０の幅方向の中央位置が位置する状態において、液体吐出ヘッド５６の払拭処理が実行される場合、払拭ウエブ３１０は、ノズル開口形成領域２７７Ａの一部を払拭してもよい。
【０３５０】
換言すると、払拭ウエブ３１０を用いる払拭処理の対象が、ノズル開口形成領域２７７Ａの下側のノズル開口非形成領域２７８Ａの場合、図１２に示した払拭ウエブ移動部１５４は、ノズル開口非形成領域２７８Ａを払拭可能な位置に払拭ウエブ３１０を移動させる。
【０３５１】
ノズル開口非形成領域２７８Ａを払拭可能な位置の一例として、払拭ウエブ３１０の幅方向における下側の端が、ノズル開口非形成領域２７８Ａの下側の端と一致する払拭ウエブ３１０の位置が挙げられる。
【０３５２】
ノズル開口非形成領域２７８Ａを払拭可能な位置の他の例として、払拭ウエブ３１０の幅方向における上側の端が、ノズル開口非形成領域２７８Ａの上側の端と一致する払拭ウエブ３１０の位置が挙げられる。
【０３５３】
図１６に示した払拭ウエブ３１０の位置は、払拭ウエブ３１０の幅方向における下側の端が、ノズル開口非形成領域２７８Ａの下側の端と上側の端との間の位置に位置する払拭ウエブ３１０の位置である。
【０３５４】
ノズル開口非形成領域２７８Ａは、吐出口形成領域の重力方向の側の位置を含む払拭位置の一態様である。
【０３５５】
図１７は第一前段ガイド、及び第一後段ガイドを初期位置から上方向に移動させた場合の払拭ウエブの移動方向を表す模式図である。図１７に図示しない第一前段ガイド３６０、及び図１７に示した第一後段ガイド３６４を初期位置３６４Ｂから上方向の任意の位置３６４Ｄへ移動させた場合、押圧ローラ３１８に支持される払拭ウエブ３１０は、押圧ローラ３１８の長手方向について、押圧ローラ３１８の上端３１８Ｃの方へ移動する。符号３１０Ｇを付した矢印線は、払拭ウエブ３１０の移動方向を表している。
【０３５６】
図１７に示した、押圧ローラ３１８の長手方向における中央位置３１８Ａよりも上側の位置に、払拭ウエブ３１０の幅方向の中央位置が位置する状態において、液体吐出ヘッド５６の払拭処理が実行される場合、払拭ウエブ３１０は、ノズル開口形成領域２７７Ａの上側のノズル開口非形成領域２７８Ｂを払拭する。
【０３５７】
押圧ローラ３１８の長手方向における中央位置３１８Ａよりも上側の位置に、払拭ウエブ３１０の幅方向の中央位置が位置する状態において、液体吐出ヘッド５６の払拭処理が実行される場合、払拭ウエブ３１０は、ノズル開口形成領域２７７Ａの一部を払拭してもよい。
【０３５８】
換言すると、払拭ウエブ３１０を用いる払拭処理の対象が、ノズル開口形成領域２７７Ａの上側のノズル開口非形成領域２７８Ｂの場合、図１２に示した払拭ウエブ移動部１５４は、ノズル開口非形成領域２７８Ｂを払拭可能な位置に払拭ウエブ３１０を移動させる。
【０３５９】
ノズル開口非形成領域２７８Ｂを払拭可能な位置の一例として、払拭ウエブ３１０の幅方向における上側の端が、ノズル開口非形成領域２７８Ｂの上側の端と一致する払拭ウエブ３１０の位置が挙げられる。
【０３６０】
ノズル開口非形成領域２７８Ｂを払拭可能な位置の他の例として、払拭ウエブ３１０の幅方向における下側の端が、ノズル開口非形成領域２７８Ｂの下側の端と一致する払拭ウエブ３１０の位置が挙げられる。
【０３６１】
図１７に示した払拭ウエブ３１０の位置は、払拭ウエブ３１０の幅方向における上側の端が、ノズル開口非形成領域２７８Ａの下側の端と上側の端との間の位置に位置する払拭ウエブ３１０の位置である。
【０３６２】
ノズル開口非形成領域２７８Ｂは、吐出口形成領域の重力方向に反対となる側の位置を含む払拭位置の一態様である。
【０３６３】
＜払拭ウエブ位置センサの配置例＞
図１８は払拭ウエブ位置センサの配置例を示すクリーナの斜視図である。なお、図１８では、図１２と同様に、クリーナ３００の一部を図示する。また、クリーナ３００の構成要素の一部を簡略化して図示する。更に、図１８では、払拭ウエブ３１０の図示を省略する。
【０３６４】
図１８に示した払拭ウエブ位置センサ１５８は、複数の反射型光電センサを備えている。すなわち、払拭ウエブ位置センサ１５８は、反射型光電センサ４２０Ａ、反射型光電センサ４２０Ｂ、反射型光電センサ４２０Ｃ、及び反射型光電センサ４２０Ｄを備えている。払拭ウエブ位置センサ１５８は、払拭シート位置検出部の一態様である。
【０３６５】
反射型光電センサ４２０Ａ、反射型光電センサ４２０Ｂ、反射型光電センサ４２０Ｃ、及び反射型光電センサ４２０Ｄは、押圧ローラ３１８の長手方向に平行となる方向に沿って配置される。
【０３６６】
反射型光電センサ４２０Ａ、反射型光電センサ４２０Ｂ、反射型光電センサ４２０Ｃ、及び反射型光電センサ４２０Ｄは、図示しない払拭ウエブ位置センサ支持部を用いて支持され、払拭ウエブ３１０の走行経路の外側に配置される。
【０３６７】
反射型光電センサ４２０Ａ、反射型光電センサ４２０Ｂ、反射型光電センサ４２０Ｃ、及び反射型光電センサ４２０Ｄは、図示しない照明、及び図示しない受光素子を備えている。
【０３６８】
図示しない照明は、押圧ローラ３１８へ向けて照明光を照射する。図示しない受光素子は、押圧ローラ３１８の表面の反射光、又は押圧ローラ３１８に支持される払拭ウエブ３１０の反射光を受光する。図示しない受光素子は、受光した光量に応じた電圧、又は電流を有する電気信号を出力する。
【０３６９】
押圧ローラ３１８の表面と払拭ウエブ３１０とは、照明光の反射率が異なる。そうすると、受光素子が押圧ローラ３１８の表面の反射光を受光した場合と、受光素子が払拭ウエブ３１０の表面の反射光を受光した場合とは、受光素子の出力信号の電圧値、又は電流値が異なるので、反射型光電センサ４２０Ａ、反射型光電センサ４２０Ｂ、反射型光電センサ４２０Ｃ、及び反射型光電センサ４２０Ｄを用いて、押圧ローラ３１８の長手方向における払拭ウエブ３１０の位置を把握することが可能である。
【０３７０】
反射型光電センサ４２０Ａ、反射型光電センサ４２０Ｂ、反射型光電センサ４２０Ｃ、及び反射型光電センサ４２０Ｄのそれぞれの検出結果を表す検出信号は、図３に示したシステムコントローラ１００を介して、払拭ウエブ移動制御部１４４へ送られる。
【０３７１】
払拭ウエブ移動制御部１４４は、押圧ローラ３１８の長手方向における払拭ウエブ３１０の位置の検出結果に基づいて、払拭ウエブ移動部１５４の動作をフィードバック制御する。
【０３７２】
図１８には、クリーナ３００が、四つの反射型光電センサ４２０Ａ、反射型光電センサ４２０Ｂ、反射型光電センサ４２０Ｃ、及び反射型光電センサ４２０Ｄを備える態様を例示したが、反射型光電センサの数は一つ以上であればよい。
【０３７３】
＜液体吐出面の払拭処理の手順＞
図１９は液体吐出面払拭方法の手順を示すフローチャートである。以下に手順を説明する液体吐出面払拭方法は、液体吐出ヘッドのメンテナンス処理の際に実行される。
【０３７４】
以下に、図８に示した液体吐出ヘッド５６Ｃの液体吐出面２７７Ｃ、液体吐出ヘッド５６Ｍの液体吐出面２７７Ｍ、液体吐出ヘッド５６Ｙの液体吐出面２７７Ｙ、及び液体吐出ヘッド５６Ｋの液体吐出面２７７Ｋを一括して、払拭処理を施す態様について説明する。
【０３７５】
液体吐出面払拭方法が開始される。まず、ヘッド払拭開始信号受信工程Ｓ１０では、図３に示したメンテナンス制御部１２６は、システムコントローラ１００から送出されたヘッド払拭開始信号を受信する。
【０３７６】
図１９のヘッド払拭開始信号受信工程Ｓ１０において、図３に示したメンテナンス制御部１２６がヘッド払拭開始信号を受信した後に、メンテナンス制御部１２６は、図１９のパージ処理実行判定工程Ｓ１２を実行する。
【０３７７】
図１９のパージ処理実行判定工程Ｓ１２では、図３に示したメンテナンス制御部１２６は、液体吐出ヘッド５６のパージ処理実行後であるか否かを判定する。パージ処理実行判定工程Ｓ１２において、図３に示したメンテナンス制御部１２６が、液体吐出ヘッド５６のパージ処理実行後でないと判定した場合は、Ｎｏ判定とされる。Ｎｏ判定の場合は、図３に示したメンテナンス制御部１２６は、図１９の初期位置払拭工程Ｓ１４を実行する。
【０３７８】
パージ処理実行判定工程Ｓ１２におけるＮｏ判定の一例として、画像データに基づく描画処理の実行後に、パージ処理が非実行とされ、液体吐出面２７７の払拭処理が実行される場合が挙げられる。パージ処理は、払拭の前の吐出動作の一態様である。
【０３７９】
初期位置払拭工程Ｓ１４では、図３に示したメンテナンス制御部１２６は、図９に示したヘッドクリーニングユニット９０を用いてノズル開口形成領域２７７Ａに対して払拭処理を実行する。ノズル開口形成領域２７７Ａは図２６に図示する。
【０３８０】
初期位置払拭工程Ｓ１４では、図３に示した払拭ウエブ走行制御部１４２は、払拭ウエブ走行部１５２を用いて、図１３に示した払拭ウエブ３１０を走行させる。また、初期位置払拭工程Ｓ１４では、図３に示したヘッド移動制御部１４０は、ヘッド移動部１５０を用いて液体吐出ヘッド５６をメンテナンス位置から描画位置へ移動させる。メンテナンス位置、及び描画位置は図９に図示する。
【０３８１】
なお、液体吐出ヘッド５６の移動方向は、描画位置からメンテナンス位置へ向かう方向でもよい。液体吐出ヘッド５６と払拭ウエブ３１０との接触位置における。払拭ウエブ３１０の走行方向は、液体吐出ヘッド５６の移動方向に反対となる方向が好ましい。
【０３８２】
図１９の初期位置払拭工程Ｓ１４では、図１３に示した第一前段ガイド３６０、及び第一後段ガイド３６４が初期位置３６４Ｂに配置されていない場合は、第一前段ガイド３６０、及び第一後段ガイド３６４を初期位置３６４Ｂに移動させる。
【０３８３】
第一前段ガイド３６０、及び第一後段ガイド３６４を初期位置３６４Ｂに移動させる工程は、払拭シート位置移動工程の一態様である。図１９の初期位置払拭工程Ｓ１４は、払拭工程の一態様である。
【０３８４】
初期位置払拭工程Ｓ１４が実行された後に、図３に示したメンテナンス制御部１２６は、図１９に示した液体吐出面払拭方法を終了する。
【０３８５】
一方、パージ処理実行判定工程Ｓ１２において、図３に示したメンテナンス制御部１２６が、液体吐出ヘッド５６のパージ処理実行後であると判定した場合は、Ｙｅｓ判定とされる。Ｙｅｓ判定の場合は、メンテナンス制御部１２６は、図１９の払拭ウエブ下方移動工程Ｓ１６を実行する。
【０３８６】
払拭ウエブ下方移動工程Ｓ１６では、図３に示した払拭ウエブ移動制御部１４４は、払拭ウエブ移動部１５４を用いて、図１３に示した第一前段ガイド３６０、及び第一後段ガイド３６４を初期位置３６４Ｂから下方向へ移動させる。
【０３８７】
そうすると、図１６に示すように、払拭ウエブ３１０は押圧ローラ３１８の長手方向に沿って斜め下方向へ移動する。払拭ウエブ下方移動工程Ｓ１６は、払拭シート位置移動工程の一態様である。
【０３８８】
図１９に示した払拭ウエブ下方移動工程Ｓ１６の後に、図３に示したメンテナンス制御部１２６は、下方位置払拭工程Ｓ１８を実行する。下方位置払拭工程Ｓ１８では、初期位置払拭工程Ｓ１４と同様に、液体吐出ヘッド５６を移動させ、図１６に示した払拭ウエブ３１０を走行させる。
【０３８９】
そして、払拭ウエブ３１０を用いて、液体吐出ヘッド５６の液体吐出面２７７におけるノズル開口形成領域２７７Ａの下側のノズル開口非形成領域２７８Ａを払拭する。ノズル開口形成領域２７７Ａ、及びノズル開口非形成領域２７８Ａは、図２６に図示する。
【０３９０】
ここで、パージ処理は、図７に示したノズル開口２８０から吐出させたインクがノズル開口形成領域２７７Ａに付着する。図９に示した水平面１に対して、図２６に示すように液体吐出面２７７が傾斜している場合、ノズル開口形成領域２７７Ａに付着したインク４６０は、ノズル開口形成領域２７７Ａに沿って下方向へ移動する。
【０３９１】
そうすると、ノズル開口形成領域２７７Ａよりも下側のノズル開口非形成領域２７８Ａにインク４６０が集中する。そこで、パージ処理が実行された後の液体吐出面２７７の払拭処理では、インクが集中している可能性が高い領域である、ノズル開口形成領域２７７Ａよりも下側のノズル開口非形成領域２７８Ａを払拭可能な位置に払拭ウエブ３１０を移動させて、ノズル開口非形成領域２７８Ａに対する払拭処理が実行される。
【０３９２】
インクが集中している可能性が高い領域は、液体が付着する領域の一例である。ノズル開口非形成領域２７８Ａを払拭可能な位置は、液体が付着する領域に対応する位置の一態様である。
【０３９３】
ノズル開口形成領域２７７Ａよりも上側のノズル開口非形成領域２７８Ｂは、インクが付着している可能性が低いか、又はインクが付着していても吐出性能に影響を与えないと考えられる。そうすると、ノズル開口非形成領域２７８Ｂは払拭処理の必要性が低いと考えられる。
【０３９４】
そこで、下方位置払拭工程Ｓ１８では、ノズル開口形成領域２７７Ａよりも上側のノズル開口非形成領域２７８Ｂは非払拭とされる。一方、ノズル開口形成領域２７７Ａはインクが付着している可能性がある。ノズル開口形成領域２７７Ａにインクが付着している場合、吐出性能を低下させる可能性がある。下方位置払拭工程Ｓ１８では、ノズル開口形成領域２７７Ａが払拭されることが好ましい。
【０３９５】
下方位置払拭工程Ｓ１８は、払拭工程の一態様である。ノズル開口形成領域２７７Ａを払拭可能な位置は、液体が付着する領域に対応する位置の一態様である。
【０３９６】
下方位置払拭工程Ｓ１８の後に、図２に示したメンテナンス制御部１２６は、払拭ウエブ初期位置移動工程Ｓ２０を実行する。払拭ウエブ初期位置移動工程Ｓ２０では、図３に示した払拭ウエブ移動制御部１４４は、払拭ウエブ移動部１５４を用いて、図１３に示した第一前段ガイド３６０、及び第一後段ガイド３６４を初期位置３６４Ｂへ移動させる。
【０３９７】
図１９に示した払拭ウエブ初期位置移動工程Ｓ２０の後に、図３に示したメンテナンス制御部１２６は、液体吐出面払拭方法を終了させる。
【０３９８】
本実施形態では、図９に示した水平面１に対して液体吐出面２７７が傾斜して配置される液体吐出ヘッド５６の払拭処理について説明したが、本実施形態は、図９に示した水平面１に平行と液体吐出面２７７が配置される液体吐出ヘッド５６の払拭処理にも適用可能である。
【０３９９】
かかる態様では、図１４に示した押圧ローラ３１８は、図９に示した水平面１に平行となる方向に配置される。図１３に示した第一前段ガイド３６０、及び第一後段ガイド３６４の少なくともいずれか一方が、図９に示した水平面１に対して傾斜して配置される場合は、図１３に示した第一前段ガイド３６０、及び第一後段ガイド３６４のうち、図９に示した水平面１に対して傾斜して配置される方を上下に移動させることに起因して、払拭ウエブ３１０を押圧ローラ３１８の長手方向に沿って移動させることが可能である。
【０４００】
本実施形態では、第一前段ガイド３６０、及び第一後段ガイド３６４を上下に移動させる態様を例示したが、第二前段ガイド３６２、及び第二後段ガイド３６６を上下方向に移動させてもよい。
【０４０１】
また、第一前段ガイド３６０、及び第一後段ガイド３６４の少なくともいずれか一方を上下に移動させ、他方を従動可能に支持する場合は、払拭ウエブ３１０を押圧ローラ３１８の長手方向に沿って移動させることが可能である。第二前段ガイド３６２、及び第二後段ガイド３６６についても同様である。
【０４０２】
［第一実施形態の作用効果］
上記の如く構成されたインクジェット記録装置、及び液体吐出面払拭方法によれば、払拭ウエブ３１０の走行経路において、払拭ウエブ３１０を案内する第一前段ガイド３６０、及び第一後段ガイド３６４が上下に移動可能に構成される。押圧ローラ３１８の長手方向に沿って払拭ウエブ３１０の位置を移動させることが可能である。
【０４０３】
これにより、液体吐出面２７７における払拭処理が必要とされる最小限の領域に対して、払拭ウエブ３１０を移動させて払拭処理を施すことが可能であり、払拭ウエブ３１０の幅を液体吐出ヘッド５６の短手方向における液体吐出面２７７の全長未満とすることが可能であり、払拭ウエブ３１０の消耗量を低減させることが可能となる。
【０４０４】
特に、液体吐出面２７７が水平面１に対して傾斜して配置された液体吐出ヘッド５６の液体吐出面２７７に対する払拭処理の場合は、液体吐出面２７７における下側へのインクの移動が発生しうるので、より高い効果を得ることが可能である。
【０４０５】
また、図８に示すように、用紙搬送方向について液体吐出ヘッド５６Ｃ、液体吐出ヘッド５６Ｍ、液体吐出ヘッド５６Ｙ、及び液体吐出ヘッド５６Ｋが近接して配置されている場合、各液体吐出ヘッド５６の短手方向の可動領域を有する構成を搭載することが困難である。
【０４０６】
一方、本実施形態に示した払拭ウエブ移動部１５４は、第一前段ガイド３６０、及び第一後段ガイド３６４の上下方向の移動制御を用いて、各液体吐出ヘッド５６の短手方向について払拭ウエブ３１０を移動させることが可能である。なお、ライン型の液体吐出ヘッド５６を備える場合、用紙搬送方向は液体吐出ヘッド５６の短手方向に平行となる方向である。
【０４０７】
また、図１８に示した払拭ウエブ位置センサ１５８を用いて、払拭ウエブ３１０の位置を検出し、払拭ウエブ３１０の位置の検出結果を用いて、図１２に示した払拭ウエブ移動部１５４をフィードバック制御することに起因して、払拭ウエブ３１０を目標の位置へ移動させる期間を短縮しうる。
【０４０８】
本実施形態では、重力方向、又は重力方向に反対となる方向に沿って、第一前段ガイド３６０、及び第一後段ガイド３６４を移動させる態様を例示したが、重力方向の成分を有する方向、又は重力方向に反対となる方向の成分を有する方向に沿って、第一前段ガイド３６０、及び第一後段ガイド３６４を移動させてもよい。
【０４０９】
また、本実施形態では、払拭ウエブ３１０の走行方向と直交する方向ついて払拭ウエブ３１０を移動させているが、払拭ウエブ３１０の走行方向と交差する方向について払拭ウエブ３１０を移動させてもよい。
【０４１０】
［第二実施形態に係る払拭ウエブ移動部の説明］
＜払拭ウエブ移動部の構成＞
図２０は第二実施形態に係る払拭ウエブ移動部の構成例を示すクリーナの側面図である。図２０では、図１１に示したクリーナ３００の一部のみを図示する。また、図２０では、図１１に示した払拭ウエブ３１０の図示を省略する。
【０４１１】
図２０に示した払拭ウエブ移動部１５４Ｂは、直動型モータ４４０、ウエブガイド４４２を備えている。直動型モータ４４０は、図示しない固定子、及び可動子４４４を備えている。直動型モータ４４０は、可動子４４４が水平方向に移動可能に構成されている。符号１５４Ｃを付した矢印線は、直動型モータ４４０の可動子４４４の移動方向を表している。
【０４１２】
ウエブガイド４４２は、直動型モータ４４０の可動子４４４と払拭ウエブロール３１１とを連結させる連結部材である。直動型モータ４４０の可動子４４４を水平方向へ移動させることに起因して、払拭ウエブロール３１１を水平方向へ移動させることが可能である。これにより、押圧ローラ３１８に支持される払拭ウエブ３１０を、押圧ローラ３１８の長手方向に沿って移動させることが可能である。
【０４１３】
＜払拭ウエブ移動部の動作＞
第二実施形態に係る液体吐出ヘッド５６の液体吐出面２７７の払拭処理に適用される払拭ウエブ３１０の条件、及び液体吐出ヘッド５６の条件は、第一実施形態と同様である。ここでは、払拭ウエブ３１０の条件、及び液体吐出ヘッド５６の条件の説明を省略する。
【０４１４】
図２１は図２０に示した払拭ウエブ移動部の動作を模式的に表した払拭ウエブ移動部の動作説明図である。図２２は図２１を払拭ウエブの走行方向について見た図である。図２２に示した符号３１１Ａは、払拭ウエブロール３１１の第一移動方向である。符号３１１Ｂは、払拭ウエブロール３１１の第二移動方向である。なお、図２２では、図２１に示した第一前段ガイド３６０、及び第二前段ガイド３６２の図示を省略する。
【０４１５】
第二実施形態では、払拭ウエブロール３１１を水平方向に平行となる方向に移動させることに起因して、払拭ウエブ３１０を押圧ローラ３１８の長手方向に沿って移動させる。
【０４１６】
図２３は払拭ウエブロールが初期位置に位置する場合の払拭ウエブの状態を表す模式図である。図２３に示した払拭ウエブロール３１１が初期位置に位置する場合、押圧ローラ３１８に支持される払拭ウエブ３１０の幅方向の中央位置は、押圧ローラ３１８の中央位置３１８Ａと一致している。
【０４１７】
図２３に示した払拭ウエブロール３１１が初期位置に位置する状態において、液体吐出ヘッド５６の払拭処理が実行される場合、払拭ウエブ３１０は、ノズル開口形成領域２７７Ａを払拭する。
【０４１８】
本実施形態では、払拭ウエブロール３１１が初期位置に位置する状態は、払拭ウエブロール３１１の重心が初期位置に位置する状態とする。なお、払拭ウエブロール３１１の重心の図示は省略する。重心に代わり、上端、又は下端など他の代表位置を適用してもよい。
【０４１９】
図２３に示した払拭ウエブロール３１１が初期位置に位置する状態において、液体吐出ヘッド５６の払拭処理が実行される場合、払拭ウエブ３１０は、ノズル開口形成領域２７７Ａの下側のノズル開口非形成領域２７８Ａの一部、又はノズル開口形成領域２７７Ａの上側のノズル開口非形成領域２７８Ｂの一部を払拭してもよい。
【０４２０】
図２４は払拭ウエブロールを第一移動方向について移動させた場合の払拭ウエブの移動方向を表す模式図である。払拭ウエブロール３１１の第一移動方向３１１Ａは、払拭ウエブロール３１１を初期位置から押圧ローラ３１８の下端３１８Ｂの方へ移動させた場合の払拭ウエブロール３１１の移動方向である。
【０４２１】
また、二点破線を用いて示した払拭ウエブ３１０、及び払拭ウエブロール３１１は、払拭ウエブロール３１１が初期位置に位置する場合の払拭ウエブ３１０、及び払拭ウエブロール３１１を表している。
【０４２２】
払拭ウエブロール３１１を第一移動方向３１１Ａについて移動させた場合、押圧ローラ３１８に支持される払拭ウエブ３１０は、押圧ローラ３１８の長手方向について、押圧ローラ３１８の下端３１８Ｂの方へ移動する。
【０４２３】
図２４に示した押圧ローラ３１８の長手方向における下端の側の位置に払拭ウエブ３１０が位置する状態において、液体吐出ヘッド５６の払拭処理が実行される場合、払拭ウエブ３１０は、ノズル開口形成領域２７７Ａの下側のノズル開口非形成領域２７８Ａを払拭する。
【０４２４】
押圧ローラ３１８の長手方向における下端３１８Ｂの側の位置に払拭ウエブ３１０が位置する状態において、液体吐出ヘッド５６の払拭処理が実行される場合、払拭ウエブ３１０は、ノズル開口形成領域２７７Ａの一部を払拭してもよい。
【０４２５】
換言すると、払拭ウエブ３１０を用いる払拭処理の対象が、ノズル開口形成領域２７７Ａの下側のノズル開口非形成領域２７８Ａの場合、図２０に示した払拭ウエブ移動部１５４Ｂは、ノズル開口非形成領域２７８Ａを払拭可能な位置に払拭ウエブ３１０を移動させる。
【０４２６】
ノズル開口非形成領域２７８Ａを払拭可能な位置の例は、上述した第一実施形態と同様である。ここでは、説明を省略する。
【０４２７】
図２５は払拭ウエブロールを第二移動方向について移動させた場合の払拭ウエブの移動方向を表す模式図である。払拭ウエブロール３１１の第二移動方向３１１Ｂは、払拭ウエブロール３１１を初期位置から押圧ローラ３１８の上端３１８Ｃの方へ移動させた場合の払拭ウエブロール３１１の移動方向である。
【０４２８】
また、二点破線を用いて示した払拭ウエブ３１０、及び払拭ウエブロール３１１は、払拭ウエブロール３１１が初期位置に位置する場合の払拭ウエブ３１０、及び払拭ウエブロール３１１を表している。
【０４２９】
払拭ウエブロール３１１を第二移動方向３１１Ｂについて移動させた場合、押圧ローラ３１８に支持される払拭ウエブ３１０は、押圧ローラ３１８の長手方向について、押圧ローラ３１８の上端３１８Ｃの方へ移動する。
【０４３０】
図２５に示した押圧ローラ３１８の長手方向における上端３１８Ｃの側の位置に払拭ウエブ３１０が位置する状態において、液体吐出ヘッド５６の払拭処理が実行される場合、払拭ウエブ３１０は、ノズル開口形成領域２７７Ａの上側のノズル開口非形成領域２７８Ｂを払拭する。
【０４３１】
押圧ローラ３１８の長手方向における上端の側の位置に払拭ウエブ３１０が位置する状態において、液体吐出ヘッド５６の払拭処理が実行される場合、払拭ウエブ３１０は、ノズル開口形成領域２７７Ａの一部を払拭してもよい。
【０４３２】
換言すると、払拭ウエブ３１０を用いる払拭処理の対象が、ノズル開口形成領域２７７Ａの上側のノズル開口非形成領域２７８Ｂの場合、図２０に示した払拭ウエブ移動部１５４Ｂは、ノズル開口非形成領域２７８Ａを払拭可能な位置に払拭ウエブ３１０を移動させる。
【０４３３】
ノズル開口非形成領域２７８Ａを払拭可能な位置の例は、上述した第一実施形態と同様である。ここでは、説明を省略する。
【０４３４】
第二実施形態に係る液体吐出面払拭方法は、図１８に示した払拭ウエブ位置センサ１５８の検出結果を用いた、図２０に示した払拭ウエブ移動部１５４Ｂのフィードバック制御が可能である。
【０４３５】
＜液体吐出面の払拭処理の手順＞
第二実施形態に係る液体吐出面払拭方法は、第一実施形態に係る液体吐出面払拭方法における第一前段ガイド３６０、及び第一後段ガイド３６４の移動に代わり、払拭ウエブロール３１１の移動が適用される点が、第一実施形態に係る液体吐出面払拭方法と相違している。
【０４３６】
すなわち、図１９の払拭ウエブ下方移動工程Ｓ１６では、払拭ウエブロール３１１を第一方向について移動させる。また、払拭ウエブ初期位置移動工程Ｓ２０では、払拭ウエブロール３１１を第二方向について移動させて、初期位置へ復帰させる。
【０４３７】
第二実施形態においても、第一実施形態に示した払拭ウエブ位置センサ１５８を用いたフィードバック制御を適用してもよい。
【０４３８】
第二実施形態では、払拭ウエブロール３１１を第一方向、又は第二方向に移動させて、押圧ローラ３１８の長手方向に沿って払拭ウエブ３１０を移動させる態様を例示したが、払拭ウエブロール３１１に代わり、巻取軸３１６を第一方向、又は第二方向に移動させてもよい。
【０４３９】
第一方向は、払拭シートの走行方向と交差する方向であり、重力方向に非平行となる方向の一態様である。第二方向は、払拭シートの走行方向と交差する方向であり、重力方向に非平行となる方向の一態様である。
【０４４０】
［第二実施形態の作用効果］
第二実施形態に係るインクジェット記録装置、及び液体吐出面払拭方法によれば、第一実施形態と同様に、払拭ウエブロール３１１の消耗量を低減させることが可能である。
【０４４１】
また、図１８に示した払拭ウエブ位置センサ１５８を用いた、図１２に示した払拭ウエブ移動部１５４のフィードバック制御に起因して、払拭ウエブ３１０の目標位置への移動期間の短縮化が可能である。
【０４４２】
更に、第一実施形態と比較して、払拭ウエブ３１０を移動させる払拭ウエブ移動部１５４Ｂの構成が簡単である。
【０４４３】
［第三実施形態］
次に、第三実施形態について説明する。第三実施形態は、払拭処理の前の処理に応じて、払拭ウエブの位置が設定される。本実施形態では、払拭処理の前の処理の例として、パージ処理、描画処理、及び定期的なメンテナンス処理を例示する。パージ処理、描画処理、及び定期的なメンテナンス処理の前の吐出は、吐出動作の一態様である。
【０４４４】
第三実施形態に係る液体吐出ヘッド５６の液体吐出面２７７の払拭処理に適用される払拭ウエブ３１０の条件、及び液体吐出ヘッド５６の条件は、第一実施形態、及び第二実施形態と同様である。ここでは、払拭ウエブ３１０の条件、及び液体吐出ヘッド５６の条件の説明を省略する。
【０４４５】
＜パージ処理後の払拭処理＞
図２６は第三実施形態に係る払拭ウエブ移動部の動作を表す模式図であり、パージ処理後の払拭ウエブの位置を表す模式図である。図２６に二点破線を用いて示した液体吐出ヘッド５６は、払拭ウエブ３１０を用いて液体吐出面２７７が払拭されている状態を表している。図２６に実線を用いて示した液体吐出ヘッド５６は、液体吐出面２７７におけるインクの付着位置を説明するために、二点破線を用いて示した液体吐出ヘッド５６とは別に図示したものである。
【０４４６】
パージ処理が実行された後の液体吐出面２７７は、ノズル開口形成領域２７７Ａの下側のノズル開口非形成領域２７８Ａにインク４６０が集中する。そこで、パージ処理が実行された後の液体吐出面２７７の払拭処理では、図２６に示すように、ノズル開口形成領域２７７Ａの下側のノズル開口非形成領域２７８Ａを払拭する位置に払拭ウエブ３１０を移動させる。
【０４４７】
図２６では、ノズル開口形成領域２７７Ａの下側のノズル開口非形成領域２７８Ａを払拭する払拭ウエブ３１０の位置の例として、払拭ウエブ３１０の幅方向における下端の位置が、ノズル開口形成領域２７７Ａの下側のノズル開口非形成領域２７８Ａの下端と一致する払拭ウエブ３１０の位置を示した。
【０４４８】
図２６に示したノズル開口非形成領域２７８Ａは、液体吐出面において液体が付着する領域の一例である。
【０４４９】
＜描画処理後の払拭処理＞
図２７は描画処理後の払拭ウエブの位置を表す模式図である。描画処理が実行された後の液体吐出面２７７は、ノズル開口形成領域２７７Ａにインク４６０が集中する。そこで、描画処理が実行された後の液体吐出面２７７の払拭処理では、図２７に示すように、ノズル開口形成領域２７７Ａを払拭する位置に払拭ウエブ３１０を移動させる。
【０４５０】
図２７では、ノズル開口形成領域２７７Ａを払拭する払拭ウエブ３１０の位置の例として、払拭ウエブ３１０の幅方向における中央位置が、押圧ローラ３１８の長手方向における中央位置３１８Ａと一致する払拭ウエブ３１０の位置を示した。
【０４５１】
但し、押圧ローラ３１８の長手方向における中央位置３１８Ａは、液体吐出ヘッド５６の短手方向におけるノズル開口形成領域２７７Ａと一致している。
【０４５２】
図２７に示したノズル開口形成領域２７７Ａは、液体吐出面において液体が付着する領域の一例である。
【０４５３】
＜定期的な払拭処理＞
図２８は重力方向に反対となる方向に飛散したインクを定期的に払拭する際の払拭ウエブの位置を表す模式図である。液体吐出ヘッド５６の液体吐出面２７７は、ノズル開口形成領域２７７Ａの上側のノズル開口非形成領域２７８Ｂにインク４６０が付着することがありうる。
【０４５４】
そこで、図２８に示すように、定期的に、ノズル開口形成領域２７７Ａの上側のノズル開口非形成領域２７８Ｂを払拭する位置に払拭ウエブ３１０を移動させる。ここいう定期的にとは、払拭処理間の期間が一定でなくてもよく、予め決められた処理の後に実行される場合が含まれていてもよい。
【０４５５】
予め決められた処理の一例として、液体吐出ヘッド５６の吐出性能の回復処理、液体吐出ヘッド５６の初期化処理、及び手動の液体吐出ヘッド５６のメンテナンス処理等が挙げられる。
【０４５６】
図２８では、ノズル開口形成領域２７７Ａの上側のノズル開口非形成領域２７８Ｂを払拭する払拭ウエブ３１０の位置の例として、払拭ウエブ３１０の幅方向における上端の位置が、ノズル開口形成領域２７７Ａの上側のノズル開口非形成領域２７８Ａの上端と一致する払拭ウエブ３１０の位置を示した。
【０４５７】
図２８に示したノズル開口非形成領域２７８Ｂは、液体吐出面において液体が付着する領域の一例である。
【０４５８】
＜水平面と平行に液体吐出面が配置される場合の払拭処理＞
図２９は液体吐出面におけるインクの集中箇所の一例を表す模式図である。図２９に示した液体吐出ヘッド５６は、水平面と平行に液体吐出面２７７が配置されている。図２９に示した液体吐出ヘッド５６の液体吐出面２７７は、ノズル開口形成領域２７７Ａとノズル開口非形成領域２７８Ａとの境界位置２７９Ａ、及びノズル開口形成領域２７７Ａとノズル開口非形成領域２７８Ｂとの境界位置２７９Ｂにインク４６０が集中しうる。
【０４５９】
ノズル開口形成領域２７７Ａとノズル開口非形成領域２７８Ａとの境界位置２７９Ａ、及びノズル開口形成領域２７７Ａとノズル開口非形成領域２７８Ｂとの境界位置２７９Ｂは、図５に示した本体部２０１と固定部材２７８との境界位置である。
【０４６０】
本体部２０１と固定部材２７８とは別部材であり、本体部２０１と固定部材２７８との境界位置は隙間が存在しうる。この隙間にインクが入り込むことに起因して、本体部２０１と固定部材２７８との境界位置にインクが集中しうる。
【０４６１】
そこで、ノズル開口形成領域２７７Ａとノズル開口非形成領域２７８Ａとの境界位置２７９Ａを払拭する位置、又はノズル開口形成領域２７７Ａとノズル開口非形成領域２７８Ｂとの境界位置２７９Ｂを払拭する位置に払拭ウエブ３１０を移動させる。
【０４６２】
図２９に示した境界位置２７９Ａ、及び境界位置２７９Ｂは、液体吐出面において液体が付着する領域の一例である。
【０４６３】
［第三実施形態の作用効果］
第三実施形態に係るインクジェット記録装置、及び液体吐出面払拭方法によれば、払拭処理の前に実行された処理に対応して、インクが付着している可能性が高い領域の払拭位置に払拭ウエブ３１０を移動させる。これにより、インクが付着している可能性が高い領域の払拭が可能となる。
【０４６４】
インクが集中している可能性が高い領域の払拭位置に払拭ウエブ３１０を移動させる態様が好ましい。
【０４６５】
本明細書では、搬送ドラムを用いて用紙が搬送される態様が例示されているが、搬送ベルト、ニップローラ等の搬送部材を用いて用紙が搬送されてもよい。搬送ベルト、ニップローラ等の搬送部材を用いて用紙が搬送される場合、液体吐出ヘッド５６は、水平面と平行に液体吐出面２７７が配置される。
【０４６６】
本明細書では、液体吐出装置の一例としてインクジェット記録装置が例示されているが、液体吐出装置は、グラフィック用途のインクジェット記録装置に限定されず、工業用途である電気配線形成、マスクパターン形成を行うインクジェット方式のパターン形成装置に対しても広く適用することが可能である。
【０４６７】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有する者により、多くの変形が可能である。
【符号の説明】
【０４６８】
１  水平面
１０  インクジェット記録装置
１１  搬送部
１２  給紙部
１４  処理液付与部
１５  ヘッド支持部
１６  処理液乾燥処理部
１８  描画部
２０  インク乾燥処理部
２４  排紙部
２６  メンテナンス部
３０  給紙台
３２  サッカー装置
３４  給紙ローラ対
３６  フィーダボード
３６Ａ  リテーナ
３６Ｂ  ガイドローラ
３８  前当て
４０  給紙ドラム
４０Ａ、４２Ａ、４６Ａ、５２Ａ、６４Ｄ  グリッパー
４０Ｂ、４２Ｂ、４６Ｂ、５２Ｂ  回転軸
４２  処理液ドラム
４２Ｃ、４６Ｃ、５２Ｃ  外周面
４４  処理液付与装置
４６  処理液乾燥処理ドラム
４８  用紙搬送ガイド
５０  処理液乾燥処理ユニット
５２  描画ドラム
５２Ｄ  本体フレーム
５２Ｅ  軸受
５４  用紙押さえローラ
５６、５６Ｃ、５６Ｍ、５６Ｙ、５６Ｋ  液体吐出ヘッド
５８  インラインセンサ
６４  チェーングリッパー
６４Ａ  第一スプロケット
６４Ｂ  第二スプロケット
６４Ｃ  チェーン
６８  インク乾燥処理ユニット
７２、７３  ガイドプレート
７６  排紙台
８２Ｌ、８２Ｒ  サイドプレート
８４  連結フレーム
８６Ｃ、８６Ｍ、８６Ｙ、８６Ｋ  取付部
８８Ｃ、８８Ｍ、８８Ｙ、８８Ｋ  被取付部
９０  ヘッドクリーニングユニット
９４  保湿ユニット
９５Ｃ、９５Ｍ、９５Ｙ、９５Ｋ  装着部
１００  システムコントローラ
１００Ａ  ＣＰＵ
１００Ｂ  ＲＯＭ
１００Ｃ  ＲＡＭ
１０２  通信部
１０３  ホストコンピュータ
１０４  画像メモリ
１１０  搬送制御部
１１２  給紙制御部
１１４  処理液付与制御部
１１６  処理液乾燥制御部
１１８  描画制御部
１２０  インク乾燥制御部
１２４  排紙制御部
１２６  メンテナンス制御部
１３０  操作部
１３２  表示部
１３４  パラメータ記憶部
１３６  プログラム格納部
１４０  ヘッド移動制御部
１４２  払拭ウエブ走行制御部
１４４  払拭ウエブ移動制御部
１４６  パージ制御部
１５０  ヘッド移動部
１５２  払拭ウエブ走行部
１５４、１５４Ｂ  払拭ウエブ移動部
１５４Ａ、１５４Ｃ  可動子の移動方向
１５６  パージ処理部
１５８  払拭ウエブ位置センサ
２００  ヘッドモジュール
２０１  本体部
２１０  流路構造体
２１４  インク供給路
２１６  個別供給路
２１８  圧力室
２２０  ノズル連通路
２２６  循環個別流路
２２８  循環共通流路
２３０  圧電素子
２３１  圧電体層
２３２  インク供給室
２３６  インク循環室
２５２  供給側個別流路
２５６  回収側個別流路
２６４  上部電極
２６５  下部電極
２６６  振動板
２６７  接着層
２７５  ノズルプレート
２７７、２７７Ｃ、２７７Ｍ、２７７Ｙ、２７７Ｋ  液体吐出面
２７７Ａ  ノズル開口形成領域
２７８  固定部材
２７８Ａ、２７８Ｂ  ノズル開口非形成領域
２７９Ａ、２７９Ｂ  境界領域
２８０  ノズル開口
２８１  ノズル部
３００、３００Ｃ、３００Ｍ、３００Ｙ、３００Ｋ  クリーナ
３１０  払拭ウエブ
３１０Ａ、３１０Ｂ  巻芯
３１０Ｃ、３１０Ｄ、３１０Ｅ、３１０Ｆ、３１０Ｇ  払拭ウエブの移動方向
３１１  払拭ウエブロール
３１１Ａ  第一移動方向
３１１Ｂ  第二移動方向
３１２  ケース
３１６  巻取軸
３１８  押圧ローラ
３１８Ａ  中央位置
３１８Ｂ  下端
３１８Ｃ  上端
３２０  前段ガイド
３２２  後段ガイド
３２４  フィードローラ
３３８  繰出リール
３４２  リール
３４２Ａ  フランジ部
３４４  滑り部材
３４６Ｒ  第二軸支持部
３５８  巻取ギア
３６０  第一前段ガイド
３６０Ｌ、３６０Ｒ、３６２Ｌ、３６２Ｒ、３６４Ｌ、３６４Ｒ、３６６Ｌ、３６６Ｒ  フランジ部
３６２  第二前段ガイド
３６４  第一後段ガイド
３６４Ｂ  初期位置
３６４Ｃ、３６４Ｄ  位置
３６５  重心
３６６  第二後段ガイド
３６８Ａ、３６８Ｂ  ブラケット
３７０  昇降ステージ
３７２  ガイド軸
３７４  ガイドブッシュ
３７６  支持部材
３７８  昇降レバー
３８２  ピン
３８６  ローラ駆動ギア
３８８  アイドルギア
３９０  軸受部
３９２  駆動ギア
３９３  ラック
３９４  モータ
４００、４４０  直動型モータ
４０２  連結部材
４０４、４４４  可動子
４１０  洗浄液供給ノズル
４２０Ａ、４２０Ｂ、４２０Ｃ、４２０Ｄ  反射型光電センサ
４４２  ウエブガイド
４６０  インク
Ｓ１０からＳ２０  液体吐出面払拭方法の各工程
【図１】
2018118467.tif 000003
【図２】
2018118467.tif 000004
【図３】
2018118467.tif 000005
【図４】
2018118467.tif 000006
【図５】
2018118467.tif 000007
【図６】
2018118467.tif 000008
【図７】
2018118467.tif 000009
【図８】
2018118467.tif 000010
【図９】
2018118467.tif 000011
【図１０】
2018118467.tif 000012
【図１１】
2018118467.tif 000013
【図１２】
2018118467.tif 000014
【図１３】
2018118467.tif 000015
【図１４】
2018118467.tif 000016
【図１５】
2018118467.tif 000017
【図１６】
2018118467.tif 000018
【図１７】
2018118467.tif 000019
【図１８】
2018118467.tif 000020
【図１９】
2018118467.tif 000021
【図２０】
2018118467.tif 000022
【図２１】
2018118467.tif 000023
【図２２】
2018118467.tif 000024
【図２３】
2018118467.tif 000025
【図２４】
2018118467.tif 000026
【図２５】
2018118467.tif 000027
【図２６】
2018118467.tif 000028
【図２７】
2018118467.tif 000029
【図２８】
2018118467.tif 000030
【図２９】
2018118467.tif 000031